(57)【要約】体腔を塞栓するシステム及び方法が提供されており、これは例えばシリンジなどの２つのチャンバ間の流路に設けた混合構成要素を具え、一又はそれ以上のアクチュエータが、２つのチャンバ間で混合構成要素を通って塞栓材料を行き来させて、塞栓材料を混合する。混合されると、チャンバの一方からカテーテルを通って患者の体内へ塞栓材料が送達され、標的位置を塞栓する。【選択図】７Ａ
2020500659.tif 000002
【特許請求の範囲】
【請求項１】
塞栓材料を患者の体内の標的位置に送達するシステムにおいて：
引込位置と、第１ポートに隣接する放出位置との間で移動可能な第１ピストンを具え、流動性塞栓材料を具える第１チャンバと；
前記第１ピストンに接続され、前記後退位置から前記放出位置へ前記第１ピストンを向けて、前記第１ピストンが前記後退位置から前記放出位置に移動すると、前記流動性塞栓材料を前記第１チャンバから前記第１ポートへ送達する、第１アクチュエータと；
後退位置と、第２ポートに隣接する放出位置との間で移動可能な第２ピストンを具え、放出位置に向かって移動するように付勢されている、第２チャンバと；
前記第１及び第２のポートと連通しているダイバータであって、前記第１及び第２のポートの間を連通している第１の流路と、前記第１のポートと前記ダイバータの出口との間を連通している第２の流路と、の一方を開く第２のアクチュエータを具える、ダイバータと；
前記塞栓材料が第１のチャンバと第２のチャンバとの間を流れるときに前記塞栓材料を混合する、第１の流路と連通した混合構成要素と；
を具えることを特徴とするシステム。
【請求項２】
請求項１に記載のシステムにおいて、
ａ）前記第２のアクチュエータが前記第１の流路を開くと、前記第１のアクチュエータの作動により前記塞栓材料が前記第１チャンバを出て、前記混合構成要素を通って前記第１の流路に沿って通過して前記塞栓材料を混合し、前記第２のチャンバに入り、前記第１のアクチュエータが解放されると、前記第２ピストンが自動的に放出位置に戻り、前記塞栓材料を第２のチャンバから排出させ、前記混合構成要素を通る第１の流路を通過させて前記塞栓材料をさらに混合して、前記第１のチャンバ内に送り；
ｂ）その後、前記第２アクチュエータが前記第２流路を開き、前記第１アクチュエータの作動により、前記塞栓材料が第１のチャンバを出て、前記第２の流路を通って前記出口から出る；
ことを特徴とする請求項１に記載のシステム。
【請求項３】
前記ダイバータの出口に接続された管状部材をさらに具え、当該管状部材が、近位端と、患者の体内に導入する大きさの遠位端と、前記近位端と前記近位端の遠位端の間に延在するルーメンとを具え、前記塞栓材料を出口から遠位端へ送達することを特徴とする請求項１に記載のシステム。
【請求項４】
前記ダイバータの出口に接続可能な管状部材をさらに具え、前記管状部材が、近位端と、患者の体内に導入する大きさの遠位端と、前記近位端と前記近位端との間に延在して前記塞栓材料を出口から遠位端へ送り出すルーメンとを具える、ことを特徴とする請求項１に記載のシステム。
【請求項５】
前記管状部材の前記近位端と前記ダイバータの出口とが、前記近位端と前記出口とを取り外し可能に接続する一又はそれ以上の複数のコネクタを具えることを特徴とする、請求項３又は４に記載のシステム。
【請求項６】
前記管状部材がカテーテルを具え、前記システムがさらに、前記出口と前記カテーテルの近位端との間に延在する、ある長さの可撓性チューブを具えることを特徴とする、請求項３又は４に記載のシステム。
【請求項７】
前記管状部材の前記近位端と前記出口とに接続されたフィルタをさらに具えることを特徴とする、請求項３又は４に記載のシステム。
【請求項８】
前記第２の流路内にフィルタをさらに具えることを特徴とする、請求項１に記載のシステム。
【請求項９】
前記フィルタが、前記塞栓材料を前記管状部材のルーメン内に導入する前に、前記塞栓材料からガスを除去するエアブリードフィルタを具えることを特徴とする、請求項７又は８に記載のシステム。
【請求項１０】
前記第２のチャンバ及び前記混合構成要素がハウジング内に設けられていることを特徴とする、請求項１に記載のシステム。
【請求項１１】
前記ダイバータが前記ハウジング内に二方向マニホルドを具えることを特徴とする、請求項１０に記載のシステム。
【請求項１２】
前記第２のピストンが、作動時にエネルギーを蓄積する前記ハウジング内の機構によって前記排出位置に付勢されていることを特徴とする、請求項１０に記載のシステム。
【請求項１３】
前記第２のピストンが、前記ハウジング内のばねによって前記排出位置に付勢されていることを特徴とする、請求項１０に記載のシステム。
【請求項１４】
前記第２のピストンが、前記ハウジング内の空気圧チャンバによって前記排出位置に付勢されていることを特徴とする、請求項１０に記載のシステム。
【請求項１５】
前記混合構成要素が、シーケンシャルに配置された複数の混合要素を具え、当該混合構成要素を通過する塞栓材料が、当該混合要素によって混合されることを特徴とする、請求項１に記載のシステム。
【請求項１６】
前記混合要素が、一又はそれ以上のらせん状要素又は分流器を具えることを特徴とする請求項１５に記載のシステム。
【請求項１７】
前記第１のチャンバがシリンジのバレル内に配置され、前記第１のアクチュエータが、前記バレルから延在して前記第１のピストンに連結されて、前記プランジャを手動で前進させることで前記第１のピストンを前記格納位置から排出位置へ移動させるプランジャを具える、ことを特徴とする請求項１に記載のシステム。
【請求項１８】
前記第１のポートが、前記プランジャと反対側の前記バレル上の遠位ポートであり、前記システムが、前記遠位ポートから延在し前記ダイバータと連通する延長線部分をさらに具えることを特徴とする、請求項１７に記載のシステム。
【請求項１９】
前記シリンジ及び前記プランジャがガラスで形成されており、前記ピストンが前記プランジャの遠位端に一体的に形成されていることを特徴とする、請求項１７に記載のシステム。
【請求項２０】
前記ダイバータが、前記第１チャンバの前記第１ポートと連通する第１マニホールドポートと、前記第２チャンバの前記第２ポートと連通する第２マニホールドポートと、前記出口に連通する第３マニホールドポートとを具えることを特徴とする、請求項１に記載のシステム。
【請求項２１】
前記混合構成要素が、前記第２のマニホールドポートと前記第２のチャンバの前記第２のポートとの間の前記第１の流路に沿って配置されていることを特徴とする、請求項２０に記載のシステム。
【請求項２２】
前記第２のアクチュエータが、前記マニホールド内の通路が前記第１及び第２のマニホールドポートとの間を連通する第１の位置と、前記マニホールド内の通路が前記第１及び第３のマニホールドポートとの間を連通する第２の位置との間で回転可能なマニホールドに接続されたノブ又はダイヤルであり、それによって第２の流路が開くことを特徴とする、請求項２０に記載のシステム。
【請求項２３】
前記第１のチャンバ内の前記塞栓材料が液状塞栓懸濁液を含むことを特徴とする、請求項１に記載のシステム。
【請求項２４】
前記第１のチャンバ内の前記塞栓材料が、ジメチルスルホキシド（ＤＭＳＯ）と、エチレンビニルアルコール（ＥＶＯＨ）の溶液中の、微粉化タンタルの懸濁液を含むことを特徴とする、請求項１に記載のシステム。
【請求項２５】
前記第２の流路と連通する第２の混合構成要素をさらに具えることを特徴とする、請求項１に記載のシステム。
【請求項２６】
前記出口に連結された第２の混合構成要素をさらに具えることを特徴とする、請求項１に記載のシステム。
【請求項２７】
塞栓材料を含むアセンブリを調製する方法において：
アクチュエータを作動させて流動性塞栓材料を前記アセンブリの第１のチャンバから排出させて、第１の流路に沿って混合構成要素を通過させて、前記塞栓材料を混合してアセンブリの第２のチャンバに入れるステップと；
前記アクチュエータを解放して、前記塞栓材料が前記第２のチャンバから前記混合構成要素を通って第１の流路に沿って自動的に通過させ、塞栓材料をさらに混合して、第１のチャンバ内に送るステップと；
前記塞栓材料を混合した後、前記第１のチャンバから前記アセンブリの出口への第２の流路を開くステップと；
前記アクチュエータを作動させて混合した塞栓材料を前記出口を通すステップと；
を具えることを特徴とする方法。
【請求項２８】
塞栓材料を患者の体内の標的位置に送達する方法であって、
ａ）アクチュエータを作動させて流動性塞栓材料を第１のチャンバから排出させ、混合構成要素を通って第１の流路に沿って通過させて、前記塞栓材料を混合して第２のチャンバに入れるステップと；
ｂ）アクチュエータを解放して、前記塞栓材料が第２のチャンバから前記混合構成要素を通って前記第１の流路に沿って自動的に通過し、前記塞栓材料をさらに混合して第１のチャンバに入れるステップと；
ｃ）前記塞栓材料を混合した後、前記第１のチャンバから出口への第２の流路を開くステップと；
ｄ）前記アクチュエータを作動させて前記混合塞栓材料を前記出口を通して患者の体内に導き、標的位置を塞栓するステップと；
を具えることを特徴とする方法。
【請求項２９】
前記第１のチャンバがシリンジのバレル内に配置され、前記アクチュエータを作動させるステップが、前記バレルから延在するプランジャを前進させて前記塞栓材料を前記第１のチャンバから排出させるステップを具えることを特徴とする、
請求項２８に記載の方法。
【請求項３０】
前記第２の流路を開くステップが、二方向マニホールドを作動させて前記マニホールド内の通路を方向付け、前記第１のチャンバから前記出口への流路を提供するステップを具えることを特徴とする、請求項２９に記載の方法。
【請求項３１】
前記第２の流路を開くステップの前に、ステップａ）及びｂ）を１回又はそれ以上繰り返すステップをさらに含むことを特徴とする、請求項２８に記載の方法。
【請求項３２】
請求項２８記載の方法において、さらに、
ｅ）前記アクチュエータを作動させて混合塞栓材料を前記出口を通して患者の体内に向けた後、前記第２の流路を閉じて前記第１の流路を再び開くステップと；。
ｆ）ステップａ）及びｂ）を一回又はそれ以上繰り返して、前記塞栓材料をさらに混合するステップと；
ｇ）前記第１室から出口への第２の流路を再開するステップと：
ｈ）前記アクチュエータを作動させて追加の混合塞栓材料を出口を通して患者の体内に向けるステップと；
を具えることを特徴とする方法。
【請求項３３】
請求項２８に記載の方法がさらに：
管状部材の遠位端を患者の体内の体腔内に導入するステップと；
前記遠位端を前記標的位置に隣接して配置するステップと；
前記管状部材の近位端を前記出口に接続して、前記アクチュエータを作動させるステップが、前記混合塞栓材料を前記管状体のルーメンを通して前記体腔に向けるステップと；
を具えることを特徴とする方法。
【請求項３４】
請求項３３に記載の方法がさらに、前記管状部材の前記近位端を前記出口に接続する前に、前記アクチュエータを作動させて前記混合塞栓材料を、前記出口に向けて、前記第２の流路から空気を除去するステップ、とを：
を具えることを特徴とする方法。
【請求項３５】
請求項３３に記載の方法がさらに、前記遠位端を前記体腔内に導入する前に、前記管状部材の前記ルーメンをＤＭＳＯ溶液で洗い流すステップをさらにさらに含む、請求項３３に記載の方法。
【請求項３６】
請求項２８に記載の方法がさらに、アクチュエータを作動させて流動性塞栓材料を第１のチャンバから排出させて塞栓材料を予混合する前に、前記第１のチャンバを手動で攪拌するステップをさらに具えることを特徴とする、請求項２８に記載の方法。
【請求項３７】
塞栓材料を患者の体内の標的位置に送達するシステムにおいて；
後退位置と第１ポートに隣接する放出位置との間で移動可能な第１ピストンを具え、その中に流動性塞栓材料を含む第１チャンバと；
後退位置と第２のポートに隣接する排出位置との間で移動可能な第２のピストンを具える第２チャンバと；
第１及び第２のポートと連通し、第１及び第２のポート間を連通する第１の流路を開く第１の位置と、第１のポートと分流器の出口との間を連通する第２の流路を開く第２の位置との間で、移動可能なダイバータアクチュエータと、前記第２のポートと前記出口との間を連通する第３の流路を開く第３の位置と、の間で移動可能なダイバータアクチュエータを具える、ダイバータと；
前記第１の流路と連通する第１の混合構成要素と；
前記第１ピストンに連結されて、前記後退位置から前記排出位置に向ける第１チャンバアクチュエータであって、第１流路を開き、塞栓材料を第１チャンバから排出させ、第１流路に沿って通過させて前記塞栓材料を混合して第２チャンバに送出し、それによって、前記塞栓材料が前記第２チャンバに入ると、前記第２のピストンを排出位置から後退位置に移動させる、第１チャンバアクチュエータと；
前記第２ピストンに連結されて、当該第２ピストンを前記後退位置から前記排出位置に向ける第２チャンバアクチュエータであって、第１流路を開き、前記塞栓材料を前記第１チャンバから前記第２チャンバ内へ導入して、前記第２チャンバから排出させ、第１流路に沿って前記混合構成要素を通過させて、前記塞栓材料をさらに混合して前記第１チャンバに送出し、それによって、前記塞栓材料が前記第１チャンバに入ると、前記第１のピストンを前記排出位置から前記後退位置に移動させる、第２チャンバアクチュエータと；
を具え、
前記ダイバータアクチュエータが、前記第２の流路又は第３の流路を開く前記第２の位置及び第３の位置の一方に移動可能であり、前記混合塞栓材料を第１室及び第２室の一方から出口に送り出す、ことを特徴とするシステム。
【請求項３８】
請求項３５に記載のシステムがさらに、前記ダイバータ切換器の前記出口に接続された管状部材を具え、当該管状部材が、近位端と、患者の体内に導入する大きさの遠位端と、前記近位端と前記遠位端との間に延在して、前記塞栓材料を前記出口から前記遠位端へ送り出すルーメンと、を具えることを特徴とするシステム。
【請求項３９】
請求項３５に記載のシステムがさらに、前記ダイバータの前記出口に接続可能な管状部材を具え、当該管状部材が、近位端と、患者の体内への導入する大きさの遠位端と、前記近位端と前記遠位端との間に延在して、前記塞栓材料を出口から遠位端へ送達するルーメンとを具える、ことを特徴とするシステム。
【請求項４０】
前記管状部材の近位端と前記ダイバータの出口とが、前記近位端と前記出口とを取り外し可能に接続する一又はそれ以上のコネクタを具えることを特徴とする、請求項３８又は３９に記載のシステム。
【請求項４１】
前記管状部材がカテーテルを具え、前記システムが、前記出口と前記カテーテルの近位端との間に延在する、ある長さの可撓性チューブをさらに具えることを特徴とする、請求項３８又は３９に記載のシステム。
【請求項４２】
前記管状部材の近位端と前記出口とに接続されたフィルタをさらに具えることを特徴とする、請求項３８又は３９に記載のシステム。
【請求項４３】
前記フィルタが、前記塞栓材料を前記管状部材のルーメン内に導入する前に、前記塞栓材料からガスを除去するエアブリードフィルタを具えることを特徴とする、請求項４２に記載のシステム。
【請求項４４】
前記第２の流路内にさらにフィルタを具えることを特徴とする、請求項３６に記載のシステム。
【請求項４５】
前記第１のチャンバ、前記第２のチャンバ、及び混合構成要素が、ハウジング内に設けられていることを特徴とする、請求項３６に記載のシステム。
【請求項４６】
前記分流器が、前記ハウジング内に三方向マニホールドを具えることを特徴とする、請求項４５に記載のシステム。
【請求項４７】
前記第１のチャンバアクチュエータと第２のチャンバアクチュエータが、前記第１のピストン及び第２のピストンにそれぞれ接続された前記ハウジングから延在する第１のプランジャ及び第２のプランジャを具えることを特徴とする、請求項４５に記載のシステム。
【請求項４８】
前記混合構成要素が、前記第１のポートに接続された第１の混合構成要素と、前記第２のポートに接続された第２の混合構成要素と、を具えることを特徴とする、請求項４５に記載のシステム。
【請求項４９】
前記混合構成要素が連続的に配置された複数の混合要素を具え、前記混合構成要素を通過する塞栓材料が前記混合要素によって混合されることを特徴とする、請求項３７に記載のシステム。
【請求項５０】
前記混合要素が一又はそれ以上のらせん状要素又はダイバータを具えることを特徴とする、請求項４９に記載のシステム。
【請求項５１】
前記第１チャンバが第１シリンジの第１バレル内に配置され、前記第１アクチュエータが、前記第１バレルから延在して、前記第１ピストンに接続された第１プランジャを具え、前記プランジャの手動による前進で、前記第１ピストンを後退位置から排出位置に移動させ、第２のチャンバが、第２のシリンジの第２のバレル内に配置されており、前記第２アクチュエータが、前記第２バレルから延在しており、第２ピストンに接続された第２のプランジャを具え、前記第２プランジャの手動による前進で、前記第２ピストンを後退位置から排出位置に移動させる、ことを特徴とする請求項３７に記載のシステム。
【請求項５２】
前記第１のポートが、前記第１のプランジャと反対側の前記第１のバレルの遠位ポートであり、前記第２のポートが、前記第２のプランジャと反対側の前記第２のバレルの遠位ポートであり、前記システムがさらに、前記遠位ポートから延在し、前記ダイバータと連通する延長線部分を具えることを特徴とする請求項５１に記載のシステム。
【請求項５３】
前記ダイバータが、前記第１のチャンバの第１のポートと連通する第１のマニホルドポートと、前記第２のチャンバの第２のポートと連通する第２のマニホルドポートと、前記出口と連通する第３のマニホルドポートと、を具えることを特徴とする請求項３７に記載のシステム。
【請求項５４】
前記混合構成要素が、前記第１のマニホールドポートと前記第１のチャンバの第１のポートとの間の前記第１の流路に沿って配置された第１の混合構成要素を具えることを特徴とする、請求項５３に記載のシステム。
【請求項５５】
前記混合構成要素が、前記第２のマニホルドポートと前記第２のチャンバの第２のポートとの間の前記第１の流路に沿って配置された第２の混合構成要素をさらに具えることを特徴とする、請求項５４に記載のシステム。
【請求項５６】
前記ダイバータアクチュエータが、前記マニホルド内の通路が前記第１マニホルドポートと前記第２マニホルドポートとの間で連通し、それによって第１の経路を開く第１の位置と、前記マニホールド内の通路が前記第１及び第３のマニホールドポート間と連通し、それによって第２の流路を開く第２の位置と、前記マニホールド内の通路が前記第２及び第３のマニホールドポート間と連通し、それによって第３の流路を開く第３の位置と、の間で回転可能な前記マニホルドに接続されたノブ又はダイヤルであることを特徴とする、請求項５３に記載のシステム。
【請求項５７】
前記第１のチャンバ内の塞栓材料が、液状塞栓懸濁液を含むことを特徴とする、請求項３７に記載のシステム。
【請求項５８】
前記第１のチャンバ内の塞栓材料が、ジメチルスルホキシド （ＤＭＳＯ）及びエチレンビニルアルコール（ＥＶＯＨ）の溶液中の微粉化タンタルの懸濁液を含むことを特徴とする、請求項３７に記載のシステム。
【請求項５９】
患者の体内の標的位置に塞栓材料を送達する方法において、
ａ）第１チャンバアクチュエータを作動させて流動性塞栓材料を第１チャンバから排出させ、混合構成要素を通って第１流路に沿って通過させて塞栓材料を混合し、第２チャンバに送るステップと；
ｂ）第２チャンバアクチュエータを作動させて前記塞栓材料を第２チャンバから排出させ、第１の流路に沿って混合構成要素を通過させて前記塞栓材料をさらに混合して第１のチャンバに送るステップと；
ｃ）前記塞栓材料を第１及び第２のチャンバの一方に混合した後、第１及び第２のチャンバのうちの一方から出口への送達経路を開くステップと；
ｄ）前記チャンバアクチュエータのうちの１つを作動させて、混合した塞栓材料を前記出口を通して患者の体内に導き、標的位置を塞栓するステップと；
を具えることを特徴とする方法。
【請求項６０】
前記第１チャンバが第１シリンジの第１バレル内に配置され、前記第１チャンバアクチュエータを作動させるステップが、前記第１バレルから延在する第１プランジャを前進させて前記塞栓材料を前記第１チャンバから排出するステップを具えることを特徴とする、請求項５９に記載の方法。
【請求項６１】
前記第２チャンバが第２シリンジの第２バレル内に配置され、前記第２チャンバアクチュエータを作動させるステップが、前記第２のバレルから延在する第２のプランジャを前進させて前記塞栓材料を前記第２のチャンバから排出するステップを具えることを特徴とする、請求項６０に記載の方法。
【請求項６２】
前記送達経路を開くステップが、三方向マニホールドを作動させて当該マニホールド内の通路を方向付けて、前記第１及び第２のチャンバの一方から前記出口への流路を提供するステップを具えることを特徴とする、請求項５９に記載の方法。
【請求項６３】
前記送達経路を開くステップの前に、ステップａ）及びｂ）を１回以上繰り返すステップをさらに具えることを特徴とする、請求項５９に記載の方法。
【請求項６４】
請求項５９に記載の方法が、さらに；
ｅ）前記アクチュエータを作動させて前記混合塞栓材料を前記出口を通して患者の体内に向けた後、前記送達経路を閉じ、前記第１の流路を再び開くステップと；
ｆ）前記ステップａ）及びｂ）を１回以上繰り返して、前記塞栓材料をさらに混合するステップと；
ｇ）前記第１及び第２のチャンバの一方から出口への送達経路を再び開くステップと；
ｈ）追加の混合塞栓材料を、前記出口を通して患者の体内に送達するステップと；
を具えることを特徴とする方法。
【請求項６５】
請求項５９に記載の方法がさらに、
管状部材の遠位端を患者の体内の体腔内に導入するステップと；
前記遠位端を標的位置に隣接して位置決めするステップと；
前記管状部材の近位端を前記出口に接続して、前記チャンバアクチュエータのうちの１つを作動させるステップで前記混合塞栓材料が前記管状部材のルーメンを通って前記体腔内に向けられるようにするステップと；
を具えることを特徴とする方法。
【請求項６６】
請求項５９に記載の方法がさらに、前記管状部材の前記近位端を前記出口に接続する前に、前記チャンバアクチュエータのうちの１つを作動させて、前記出口を通って前記混合塞栓材料を方向付けて、前記送達経路からの空気を浄化するステップを具えることを特徴とする方法。
【請求項６７】
請求項５９に記載の方法がさらに、前記遠位端を前記体腔内に導入する前に、前記管状部材のルーメンをＤＭＳＯ溶液で洗い流すステップを具えることを特徴とする方法。
【請求項６８】
請求項５９に記載の方法がさらに、アクチュエータを作動させて流動性塞栓材料を第１チャンバから排出させて塞栓材料を予混合する前に、前記第１チャンバを手動で攪拌するステップを具えることを特徴とする方法。
【発明の詳細な説明】
【技術分野】
【０００１】
関連出願
本出願は、２０１６年１２月８日に出願された同時係属中の米国仮特許出願第６２／４３１，４２４号の利益を主張し、その全開示は参照により明示的に援用される。
【０００２】
本発明は、概して体腔を塞栓するシステム及び方法に関し、より詳細には、患者の体内へ送達する直前に液状塞栓材料を混合するシステム及び方法に関する。
【背景技術】
【０００３】
体腔の塞栓形成、又は遮断は、奇形、疾患、又は様々な体腔の損傷の治療に十分に確立された低侵襲外科的技術である。この技術は、動静脈奇形、子宮筋腫、腫瘍、静脈瘤及び動脈瘤（例えば、神経血管及び末梢血管腔）への異常な又は望ましくない血流の塞栓に、また、胃腸管内の出血又は外傷による出血の治療によく用いられる。高レベルでは、これらの処置にはすべて、カテーテルを血管系に挿入して、標的位置内又はその近傍に進め、このカテーテルを通して塞栓剤を標的位置に送達するという比較的一般的な手法が含まれる。その後、標的部位へ血液が流れ込むのを塞栓剤が阻止する。これは（例えば）血管壁が薄く弱くなった動脈を安定化させ（動脈瘤の場合）、循環系の動脈部分と血管部分との間の大量の異常な結合を閉塞し（動静脈奇形の場合）、癌治療の一部として腫瘍への血流を防ぎ、あるいは胃腸管への潰瘍から又はその他の出血性損傷からの悪性の出血を軽減するために、行われることがある。
【０００４】
また、血管内動脈瘤修復（ＥＶＡＲ）治療の完了後に行うこともできる。ＥＶＡＲ治療では、布で覆ったステント又はステントグラフトを大動脈の弱化部分内に配置して補強材を提供し、このセグメントを油圧で隔離して大動脈破裂の可能性を軽減している。このような治療を行った患者の約１５乃至２５％はエンドリークと呼ばれる合併症を経験しており、ある程度の血流が動脈瘤腔内に残る。最も一般的なタイプのエンドリーク（通常、タイプＩＩのエンドリークと呼ばれている）の症状は、治療を行った大動脈の側枝動脈から動脈瘤嚢へ血液が流れ続けるときに発生する。
【０００５】
ステンレス鋼及び白金コイル、ポリビニルアルコール又はゼラチン含浸アクリル球、シアノアクリレート、エチレンビニルアルコール、ならびにアルコールなどの硬化剤を含む多種多様な塞栓剤がこの目的に使用されてきた。これらの広範なカテゴリーの塞栓剤はそれぞれ、個々の長所及び短所によって特定の用途に適している。例えば、ステンレス鋼の塞栓コイルシステムは、医師が動作を開始するまでコイルがカテーテルの遠位端から脱落したり解放されたりしないので、術者は非常に落ち着いて手順を進めることができる。この特徴により、治療中の特定の臨床症状に対する医師の理解に基づいて、医師はコイルが最適に配置されるまでコイルの位置決め又は再位置決めができるようになる。
【０００６】
しかしながら、コイルシステムの欠点は、標的塞栓部位の非対称的、不規則な及び／又は時には非常に蛇行した解剖学的プロファイルに多くの場合適合せず、不適切な充填となって、望ましくない不完全な塞栓形成結果を残すことである。さらに、このようなコイル送達システムは、所望の送達プロファイルと剛性よりも高いことがあり、この制限により、コイル送達システムを安全に配置できる場所よりも塞栓標的がかなり遠位にある標的生体構造での使用が妨げられることがある。
【０００７】
一方で、液状塞栓剤には、それが導入される空間を完全に充填し、そして潜在的により大きな空間を充填するという利点がある（末梢血管系における大きな動静脈奇形の治療など）。液状塞栓剤は、通常、体内に注射することができ、送達システムの先端に対してかなり遠位にある生体構造標的にさらに容易に到達することができる。 液状塞栓剤がどこを流れ、どのようにして標的空間を正確に満たすかの制御は、個体コイルシステムと比較した場合、術者によってより厳密には制御されないので、これらの利点は負担なしでは得られない。液状塞栓剤がカテーテルを通して一旦注入されると、コイルシステムを用いるよりも塞栓が終わる場所の医師の制御性ははるかに低い。両方の場合において、選択された塞栓システムに関する医師の訓練、技能、及び精通度が、これらのシステムのいずれかの臨床使用に関連する欠点（すなわち、罹患率及び死亡率）を大幅に軽減するであろう。
【０００８】
多くの市販の塞栓システムの１つの特徴は、例えばＸ線透視装置を使用して、ユーザが塞栓形成の程度をリアルタイムで測定できるようにする放射線不透過性材料を含んでいることである。ステンレス鋼又はプラチナコイルの場合、放射線不透過性は塞栓材料自体の固有の性質である。塞栓材料が放射線不透過性でない場合、追加の構成要素をシステムに追加してこの機能を提供することがある。 最も一般的に使用されている液状塞栓システムの一つは、オニキス液状塞栓システム（メドトロニック社）であり、ジメチルスルホキシド（ＤＭＳＯ）とエチレンビニルアルコール（ＥＶＯＨ）の溶液中の微粉化タンタルの懸濁液である。ＥＶＯＨはＤＭＳＯには可溶であるが水性媒体には可溶ではないので、水性媒体中へのＤＭＳＯの拡散によって懸濁液が水性環境に導入されると、急速に沈殿して固体を形成する。
【０００９】
タンタル粒子を含有させることは、医師にフィードバックを提供するのに適した放射線不透過性を提供して、Ｘ線透視ガイダンスの下で液状塞栓剤の堆積を案内する。タンタル粒子は、沈殿しているＥＶＯＨ内に捕捉され、経時的に塞栓部位から拡散しないようにするのに十分に大きく、治療部位のＸ線透視検査中に術者に明瞭でコントラストの高い信号を提供する。しかしながら、室温で１６．６９グラム／立方センチメートルの密度では、タンタルは非常に重金属であり、タンタル微粒子は数分でＥＶＯＨ／ＤＭＳＯ溶液の底に沈む。したがって、オニキスを使用することの１つの課題は、ＥＶＯＨ／ＤＭＳＯ溶液中に比較的均一にタンタルを懸濁させ、それを維持することである。
【００１０】
使用説明書には、ＥＶＯＨ／ＤＭＳＯ／タンタル懸濁液を含有する単一血清バイアルは、使用前にボルテックスミキサーで２０分間攪拌しなければならず、混合した懸濁液が混合後５分以内に使用されない場合にはバイアルの攪拌を繰り返さなければならないと記載されている。この要件は、オニキス液状塞栓剤の調製が処置の必要な時とタイミングを合わせて行わなければならず、２０分のリードタイムが計画にかなりの障害となるので、医師や手術室のスタッフにかなりの負担になる。これらの要件は、処置中にタンタルが沈降する可能性がある長い処置時間（すなわち、指定された５分のウィンドウを超える処置）がある複雑な場合や、より迅速な処置又は血管介入処置が必要とされる緊急の場合（例えば、外傷による出血）でのオニキスの使用を困難なものにしている。
【００１１】
したがって、既存の液状塞栓システムの有益な態様を残し、システムの使用準備に必要な時間のかかるステップを軽減した、又はなくした塞栓デバイス、システム、及び方法が求められている。
【発明の概要】
【００１２】
本発明は、体腔に塞栓を形成するシステム及び方法に関し、より詳細には、患者の体内に送達する直前に液状塞栓材料を混合するシステム及び方法に関する。
【００１３】
本明細書には、体腔に塞栓を形成する装置、システム、及び方法が記載されている。この装置は一般に、細長部材を具えており、この部材はさらに、近位端部と選択的に遠位端部上の接続要素と共に、静的混合要素をさらに具えている。バルブ、流れ誘導部品、シェル、ハウジング、ハンドル、アクチュエータなどの追加の部品がシステム及び方法に含まれていてもよい。
【００１４】
静的混合は、混合する材料が流路を通して導かれ、外部電力の入力なしで材料を混合するように作用する要素を含む技術である。これらの要素は、流路内に突出して乱流を作り出し、目的の材料を混合する羽根又はその他の構造である。このシステムはプレート型システムとして知られており、流体又は材料の２つ以上の流れを静的ミキサーに送達する方法を組み込んでいる。流れがミキサーを通って移動するにつれて、移動しない要素が連続的に材料を混合する。完全な混合は、流体の特性、チューブの内径、要素数、及びそれらのデザインなど、さまざまな要素によって異なる。本明細書のシステム及び方法に含まれるプレート型静的混合システムの徹底的な考察は、米国特許第５，８３９，８２８号、第７，２８１，８４４号、第８，１４７，１２４号、第９，０６７，１８３号及び第９，２２１，０２２号に提供されている。これらの全開示は参照により本明細書に明確に組み込まれている。
【００１５】
代替的なタイプのシステムは、交互に配置され、中空チューブ又は細長部材内で左右に１８０度回転する一連のらせん状又は疑似らせん状要素を収容する。直径上にある要素の前縁は、隣接する上流側要素の後縁に対して、例えば９０°オフセットしている。この構成は、本明細書に記載されているシステム及び方法に設けることができる混合メカニズムの一例である。１つ目の分流は、一般的にレイノルズ数が２０００未満の混合物を支配する。2つ目の放射状混合は、より高いレイノルズ数（一般的に２０００を超える）での要因になる。
【００１６】
分流において、第１の要素の前縁は、ミキサーに入る流体を２つの流れに分割し、この流れは次いで１８０°回転する。第２の要素は、この流れを４つの流れに再度分割し、次いで反対方向に１８０°回転させる。第３の要素は、８つのストリームに分割するというように、このプロセスを繰り返す。流れ又は層の数が増えるにつれて、層の厚さは小さくなる。得られた混合物の品質及び完全性は、ミキサーの直径及び混合要素の数のみの関数であり、流速と混合物の粘度とは無関係である。これは、一貫した混合を達成するのに高圧及び／又は高流速を必要としないという点で有益である。実際には、分流による混合により、低い送達速度で、得られる混合物が均質になる。例えば、液状塞栓剤は、整然とした速度で送達することができ、そして送達期間全体にわたって完全に混合される。
【００１７】
放射状の混合は、乱流を経験する低粘度混合物と関連することがある。これらの条件下で、要素形状は流体に回転スピンを与えることができ、これが各後続要素により方向を変える。要素間の境界面が特に活発な混合ゾーンを形成しながら、流体は絶えずパイプの中心からパイプの壁へ移動し、再び戻ってくる。この混合のメカニズムは乱流において支配的であり、例えばｐＨ、組成、色、温度及び速度、混合した物質の速度、における半径方向の勾配や差を素早く取り除くことができる。注目すべきは、放射状混合は一般に分流よりも効率的であり、放射状混合に必要な混合要素は分流よりも３倍から１６倍少ないという事実である。別の一般的なタイプの静的混合要素は、混合器の壁から混合器の中心へ、そして中心から壁へと流体を流す断続的なフローインバーターを設けた左右交互の要素を具える正方形の混合要素である。
【００１８】
所与の混合物の混合量は、混合構成要素を静的ミキサーに複数回通過させることによって増やすことができる。例えば、チャンバを静的ミキサーの近位端に接続し、第２のチャンバを静的ミキサーの遠位端に接続して、混合構成要素を近位チャンバから遠位チャンバへ繰り返し通過させて、単一の経路で達成される混合より大きな混合を行うことができる。
【００１９】
本明細書のシステム及び方法の一実施形態によれば、遠位端及び近位端を有する細長部材を具える混合構成要素が提供されている。細長部材の外面は楕円形で断面は直線状であってもよく、細長部材の直径又は外形寸法は一定であるか、又は細長部材の長さに沿って変化するものでもよい。 例えば、細長部材は、近位端における外径が０．２５０インチ、遠位端における外径が０．１２５インチの断面円形であってもよく、近位外径から遠位外径への移行は線形減少である。
【００２０】
代替的に、細長部材の外径のプロファイルは、複数の直線的な減少又は増加、複数の内向き又は 外向きの湾曲セグメント、直径の複数の段状変化、これらの組み合わせ、又は細長部材の全長にわたる任意の形状を具えていてもよい。同様に、細長部材の断面の幾何学形状は、細長部材の長さにわたって固定でも可変でもよい。 例えば、細長部材は、横断正方形のセグメント、断面楕円形のセグメント、及び断面が八角形のセグメントを具えていてもよく、これらのセグメントは、上述したように曲面、表面、突出部によって接続できる。サイズ、外形、及び断面形状の任意の組み合わせが意図されていることは当業者には自明である。
【００２１】
さらに、細長部材のその他の特徴は、細長部材の断面の長さ及び／又は半径及び方位角について固定又は可変であってもよく、限定するものではないが、色、剛性、密度、強度、延性、弾性、疎水性、親水性、圧縮弾性率、不透明性、透明性、放射線不透過性、化学的適合性、融解温度、ガラス転移温度、熱伝導率、絶縁定数、抵抗率、誘電率、これらの組み合わせなどがある。細長部材は、少なくとも１つのルーメンをさらに具えていてもよい。この少なくとも１つのルーメンは、断面が楕円形又は直線状であり、細長部材の外側寸法内に含まれる断面寸法を有する。
【００２２】
例えば、固定された円形断面と、直径０．１３０インチの細長部材は、より大きい直径において０．１３０インチより小さい円形断面を有する単一のルーメンを有し得る。ルーメンの幾何学的形状及び断面サイズは、ルーメン内に少なくとも１つの静的混合要素を配置できるようなサイズとすることができる。例えば、ルーメンは、断面円形であり、直径が０．０５０インチ未満、０．０５０インチ乃至０．０７５インチ、０．０７５インチ乃至０．１００インチ、０．１００インチ乃至０．１２５インチ、０．１２５インチ乃至０．１５０インチ、０．１５０インチ乃至０．１７５、０．１７５インチ乃至０．２００インチ、０．２００インチ乃至０．２２５インチ、０．２２５インチ乃至０．２５０インチ、又は０．２５０インチより大きくてもよい。例示的な実施形態では、ルーメンは断面が円形であり、０．０７５インチ乃至０．１００インチの直径を有する。これらの例は円形の細長部材を使用しているが、他の幾何学的形状も考えられることは当業者には自明である。
【００２３】
別の例として、四角形のらせん状の静的混合要素を受け入れる大きさの正方形のルーメンを有する正方形の細長部材が提供されている。細長部材は、脂肪族ポリアミド、フッ素化エチレンプロピレン、ナイロン、ペルフルオロアルコキシ（例えば、テフロン（登録商標）、ポリエーテルブロックアミド（Ｐｅｂａｘ（登録商標））、ポリエーテルエーテルケトン（ＰＥＥＫ）、ポリエチレン、ポリテトラフルオロエチレン（ＰＴＦＥ）、ポリプロピレン、ポリウレタン、ポリ塩化ビニル、ポリスルホン、ステンレス鋼、ニッケル、チタン、アルミニウム、真鍮、銅、白金、ポリカーボネート、アクリル、ポリオキシメチレン（Ｄｅｌｒｉｎ（登録商標））、これらの組み合わせ及び／又は合金などを含む、この分野で公知の材料で製造することができる。例示的な実施形態では、細長部材は、ポリプロピレン、ナイロン、ポリオキシメチレンなどのＤＭＳＯと適合性のある材料で製造されている。
【００２４】
少なくとも１つのルーメンを具える細長部材は、ルーメン内に延在する突出部、フランジなどの内部構造をさらに具えていてもよい。これらの構造は、（例えば、射出成形によって形成される）細長部材の固有の部分であってもよく、又は、限定するものではないが、超音波溶接、オーバーモールディング、ねじ切り／タッピング、圧着、プレス又は締まり嵌め、これらの組み合わせなど、この術分野で公知の手段を用いて細長部材に連結させた異なる材料でできた構成要素であってもよい。
【００２５】
細長部材に異種の内部構造が連結されている場合、この内部構造は、脂肪族ポリアミド、フッ素化エチレンプロピレン、ナイロン、ペルフルオロアルコキシ（例えば、テフロン（登録商標））、ポリエーテルブロックアミド（Ｐｅｂａｘ（登録商標））、ポリエーテルエーテルケトン（ＰＥＥＫ）、ポリエチレン、ポリテトラフルオロエチレン（ＰＴＦＥ）、ポリプロピレン、ポリウレタン、ポリ塩化ビニル、ポリスルホン、ステンレス鋼、ニッケル、チタン、アルミニウム、真鍮、銅、白金、ポリカーボネート、アクリル、ポリオキシメチレン（Ｄｅｌｒｉｎ（登録商標））、これらの組み合わせ及び／又は合金などを含む、この分野において既知の材料で製造することができる。例示的な実施形態では、細長部材は、ポリプロピレン、ナイロン、ポリオキシメチレンなどのＤＭＳＯと適合性のある材料で製造されている。この内部構造は、開示全体が参照により本明細書に明示的に組み込まれている米国特許第５，８３９，８２８号、第７，２８１，８４４号、第８，１４７，１２４号、第９，０６７，１８３号及び第９，２２１，０２２号に記載されているように、乱流混合を促進する、又はらせん状静的混合要素の縦方向の動きを最小にするあるいは防止するストッパとして機能するように設計されている。
【００２６】
細長部材は、近位端及び／又は選択的に遠位端に接続要素をさらに具えていてもよい。接続要素は、細長部材のルーメンの少なくとも１つと流体連通するルーメンを具え、限定するものではないが、脂肪族ポリアミド、フッ素化エチレンプロピレン、ナイロン、ペルフルオロアルコキシ（例えば、Ｔｅｆｌｏｎ（登録商標））、ポリエーテルブロックアミド（Ｐｅｂａｘ（登録商標））、ポリエーテルエーテルケトン（ＰＥＥＫ）、ポリエチレン、ポリテトラフルオロエチレン（ＰＴＦＥ）、ポリプロピレン、ポリウレタン、ポリ塩化ビニル、ポリスルホン、ステンレス鋼、ニッケル、チタン、アルミニウム、真鍮、銅、白金、ポリカーボネート、アクリル、ポリオキシメチレン（Ｄｅｌｒｉｎ（登録商標））、これらの組み合わせ及び／又は合金などを含む、当技術分野で公知の材料で製造できる。例示的な実施形態では、細長部材は、ポリプロピレン、ナイロン、ポリオキシメチレンなどのＤＭＳＯと適合性のある材料で製造されている。
【００２７】
接続要素は、限定するものではないが、Ｌｕｅｒ−Ｌｏｋ（登録商標）継手（雄及び／又は雌）、スリップルアー継手（雄及び／又は雌）、クイックディスコネクト継手（雄及び／又は雌）、ねじ付／タップ付継手、単一又は複数の棘、それらの組み合わせなどの標準的な形態をとることができる。接続要素は、（例えば射出成形により）細長部材の連続的な突出部として形成してもよく、又は、限定するものではないが、ボンディング、溶接、超音波溶接、オーバーモールディング、ねじ切り／タッピング、圧着、プレス又は締まりばめ、これらの組み合わせなどを含む、当技術分野において既知の方法を用いて細長部材と別に形成して、細長部材に取り付けるようにしてもよい。
【００２８】
例えば、本発明のシステム及び方法は、外径０．１８８インチの円形の断面を有し、直径０．０９９インチの同心状に整列した円形ルーメンを有する細長部材と、近位端に接続した雌型ルアーフィッティングと、遠位端に接続した雄型ルアーフィッティングと、ルーメン内に配置された外径０．０９３インチの２４要素の螺旋型静的ミキサーと、を具える混合構成要素を具えていてもよい。細長部材の長さは、螺旋型静的ミキサーが、雌型と雄型のルアーフィッティング間の細長部材の部分に含まれるような長さである。さらに、細長部材は螺旋型静的ミキサーの長手方向の動きを制限する内部フランジを具えていてもよい。例示的実施形態では、細長部材はナイロン又はポリプロピレンで製造することができ、螺旋型静的ミキサーは、ナイロン、ポリプロピレン、又はポリオキシメチレンで製造することができる。この例では、２４の要素の静的ミキサーを特定しているが、静的ミキサーは、静的ミキサーは１以上の要素、例えば１乃至４、４乃至８、８乃至１２、１２乃至１６、１６乃至２０、２０乃至２４、２４乃至２８、２８乃至３２の要素を具えていてもよい。また、静的ミキサーは、ミキサーのシーケンシャル要素の数に対応する長さを有し得る。別の例では、先の例の遠位側雄型ルアーフィッティングを雌型ルアーフィッティングで置き換えてもよい 。
【００２９】
例示的実施形態において、このシステムは、純粋なＤＭＳＯを含有するキャップ付シリンジ、ＥＶＯＨ、ＤＭＳＯ、及び微粉化タンタルの混合物を含有するキャップ付シリンジ（「懸濁液」シリンジ）、及び混合構成要素を具えていてもよい。ＤＭＳＯに対するＥＶＯＨの割合を変えて、ある範囲の粘度を有する溶液をつくることができる。例示的な実施形態においては、溶液は様々な粘度にすることができ、例えば、７センチストークス（ｃＳｔ）未満、又は約７ないし９ｃＳｔ、９乃至１１ｃＳｔ、１１乃至１３ｃＳｔ、１３乃至１５ｃＳｔ、１５乃至１７ｃＳｔ、１７乃至１９ｃＳｔ、１９乃至２１ｃＳｔ、２１乃至２３ｃＳｔ、２３乃至２５ｃＳｔ、２５乃至２７ｃＳｔ、２７乃至２９ｃＳｔ、２９乃至３１ｃＳｔ、３１乃至３３ｃＳｔ、３３乃至３５ｃＳｔ、又は３５ｃＳｔ以上であってもよい。シリンジとキャップは、ＤＭＳＯと適合性のある材料で製造することができる。 ＥＶＯＨは、例えば、エチレン含有量が約４８％（モル％）の変形であってもよい。タンタルは、例示的な最大粒径が５マイクロメートル以下の範囲の粒径に微粉化することができる。
【００３０】
混合構成要素は、シングルルーメンハウジングの静的混合要素を有する細長部材と、近位端部に雌のルアーフィッティングと、遠位端に雄のルアーフィッティングを具えている。各構成要素は、適切な包装がなされ無菌で提供される。
【００３１】
例示的な実施形態では、このシステムを使用して、ＤＭＳＯ適合カテーテルをカテーテルの遠位端が液状塞栓を送達する位置になるように患者内に配置することによって動静脈奇形を塞栓する方法が提供されている。ＤＭＳＯシリンジを包装から取り出し、キャップをシリンジから外して、ＤＭＳＯ適合カテーテルをＤＭＳＯで洗い流して、カテーテルから血液、食塩水、又はその他の流体を除去することによって、カテーテルの液状塞栓送達準備が整う。懸濁液シリンジを包装から取り出し、場合により手動で撹拌して、ＥＶＯＨ／ＤＭＳＯ溶液内でタンタルを予混合する。混合構成要素を包装から取り出し、滅菌技術を用いて滅菌野に入れる。キャップを懸濁液シリンジから取り外し、懸濁液シリンジを混合構成要素の近位端に取り付ける。懸濁液シリンジを垂直に保持して混合構成要素の遠位端が上向きになるようにして、混合構成要素の空隙容量が予め混合されたＤＭＳＯ／ＥＶＯＨ／タンタル懸濁液で一杯になるまで懸濁液シリンジのプランジャを押し下げる。
【００３２】
混合構成要素の遠位端はＤＭＳＯ適合カテーテルのハブに接続され、懸濁液シリンジプランジャが押し下げられて、完全に均質化されたＤＭＳＯ／ＥＶＯＨ ／タンタル懸濁液を患者に送達される。ＤＭＳＯ／ＥＶＯＨ／タンタル懸濁液を混合構成要素に通過させることは、懸濁液を完全に均質化する方法である。この混合メカニズムは、外部電源又はエネルギー源を必要とせず、静的混合の「オンコール」の性質によりすぐに使用できる状態にある。この例では、例示的にＥＶＯＨ／ＤＭＳＯ／タンタル懸濁液又は混合物を使用しているが、この方法が非薬物及び薬物負荷ポリマー状ミクロスフェアのような他の塞栓剤にも適用可能であることは当業者には自明である。このようなミクロスフェアは、限定するものではないが、球状又は非球状ポリビニルアルコールビーズ、トリス−アクリルゼラチンミクロスフェアなどを含む。
【００３３】
別の実施形態によれば、純粋なＤＭＳＯを含有するキャップ付きシリンジ、空のシリンジ、ＥＶＯＨ、ＤＭＳＯ、及びタンタルの混合物を含有するキャップ付きシリンジ（「懸濁液」シリンジ）、及び混合構成要素を具えるシステムが提供されている。ＤＭＳＯに対するＥＶＯＨの割合を変化させてある範囲の粘度を有する溶液を製造することができ、この粘度は、例えば、７センチストークス（ｃＳｔ）未満、７乃至９ｃＳｔ、９乃至１１ｃＳｔ、１１乃至１３ｃＳｔ、１３乃至１５ｃＳｔ、１５乃至１７ｃＳｔ、１７乃至１９ｃＳｔ、１９乃至２１ｃＳｔ、２１乃至２３ｃＳｔ、２３乃至２５ｃＳｔ、２５乃至２７ｃＳｔ、２７乃至２９ｃＳｔ、２９乃至３１ｃＳｔ、３１乃至３３ｃＳｔ、３３乃至３５ｃＳｔ、又は３５ｃＳｔ以上である。このシリンジとキャップは、ＤＭＳＯと適合性のある材料で製造することができる。ＥＶＯＨは可変であり、例えば、エチレン含有量が約４８％（モル％）である。タンタルは、５マイクロメートル以下の範囲の例示的な最大粒径で微粉化することができる。混合構成要素は、シングルルーメンハウジング静的混合要素と、近位端に雌のルアー取り付け具を有する細長部材と、遠位端に雌のルアー取り付け具と、を具える。各構成要素は適切な包装で無菌で供給される。
【００３４】
別の実施形態によれば、このシステムを使用して、ＤＭＳＯ適合カテーテルをカテーテルの遠位端が液状塞栓を送達する位置にくるように患者内に配置することによって動静脈奇形を塞栓形成する方法が提供されている。ＤＭＳＯシリンジを包装から取り出し、キャップをシリンジから取り外し、ＤＭＳＯ適用カテーテルをＤＭＳＯで洗い流すことにより、カテーテルから血液、生理食塩水、又はその他の液体を除去して、カテーテルの液状塞栓送達の準備が整う。懸濁液シリンジを包装から取り出し、場合により手動で撹拌して、ＥＶＯＨ／ＤＭＳＯ溶液内でタンタルを予混合する。混合構成要素及び空のシリンジを包装から取り出し、滅菌技術を用いて滅菌野に入れる。キャップを懸濁液シリンジから取り外し、懸濁液シリンジを混合構成要素の近位端に取り付ける。懸濁液シリンジは、混合構成要素の遠位端が上を向くように垂直に保持されて、懸濁液シリンジプランジャを、混合構成要素の空隙容量が予混合したＤＭＳＯ／ＥＶＯＨ／タンタル懸濁液で一杯になるまで押し下げる。
【００３５】
空のシリンジは、混合構成要素の遠位端に接続されている。懸濁液シリンジプランジャを十分に押し下げて、懸濁液シリンジから混合構成要素を通って、空の、すなわち受入れ用のシリンジにＤＭＳＯ／ＥＶＯＨ／タンタル懸濁液を通過させる。これはシングル混合パスと呼ばれる。第二の混合パスは、受入シリンジプランジャを完全に押し下げて、ＤＭＳＯ／ＥＶＯＨ／タンタル懸濁液を、受入シリンジから混合構成要素を通って懸濁液シリンジへ移送することによって行われる。操作医師は、選択的に追加の数の混合パスを実行して、ＤＭＳＯ／ＥＶＯＨ／タンタル懸濁液を完全に均質化するようにしてもよい。奇数回の通過が完了すると、受入シリンジ（ＤＭＳＯ／ＥＶＯＨ／タンタル懸濁液を含む）が混合構成要素から切り離されて、同伴空気がシリンジから排出され、シリンジがＤＭＳＯ適合カテーテルのハブに接続されるとともに、シリンジプランジャが押し下げられて、完全に均質化したＤＭＳＯ／ＥＶＯＨ／タンタル懸濁液が患者に送達される。偶数回の通過が完了すると、懸濁液シリンジ（ＤＭＳＯ／ＥＶＯＨ／タンタル懸濁液を含む）が混合構成要素から外れて、同伴空気がシリンジから排出され、シリンジがＤＭＳＯ適合カテーテルのハブに接続されるとともに、シリンジプランジャが押し下げられ、完全に均質化されたＤＭＳＯ／ＥＶＯＨ／タンタル懸濁液が患者に送達される。
【００３６】
選択的に、前述の２つのシステムのいずれも、さらに、ＤＭＳＯ適合シリンジに入る前に均質化ＤＭＳＯ／ＥＶＯＨ／タンタル懸濁液からガスを除去するエアブリードフィルタを具えていてもよい。この実施例は例示的にＥＶＯＨ／ＤＭＳＯ／タンタル懸濁液又は混合物を使用しているが、この方法が、限定するものではないが、球状又は非球状のポリビニルアルコールビーズ、トリス−アクリルゼラチンミクロスフェアなどを含むポリマーミクロスフェアのような、その他の塞栓剤に適用できることは当業者には自明である。
【００３７】
さらに別の実施形態によれば、純粋なＤＭＳＯを含むキャップ付きシリンジ、空のシリンジ、ＥＶＯＨ、ＤＭＳＯ、及びタンタルの混合物を含むキャップ付きシリンジ（「懸濁液」シリンジ）、三方活栓、及び混合構成要素を具えるシステムが提供されている。シリンジ、キャップ、及び三方活栓は、ＤＭＳＯと適合性のある材料で製造することができる。ＤＭＳＯに対するＥＶＯＨの割合を変えて、例えば、７センチストークス（ｃＳｔ）未満、又は約７乃至９ｃＳｔ、９乃至１１ｃＳｔ、１１乃至１３ｃＳｔ、１３乃至１５ｃＳｔ、１５乃至１７ｃＳｔ、１７乃至１９ｃＳｔ、１９乃至２１ｃＳｔ、２１乃至２３ｃＳｔ、２３乃至２５ｃＳｔ、２５乃至２７ｃＳｔ、２７乃至２９ｃＳｔ、２９乃至３１ｃＳｔ、３１乃至３３ｃＳｔ、３３乃至３５ｃＳｔ、又は３５ｃＳｔ以上の、様々な粘度の溶液を生成することができる。 ＥＶＯＨは、例えば、エチレン含有量が約４８％（モル％）の変形である。タンタルは、５マイクロメートル以下の例示的な最大粒径を有する粒子サイズの範囲で微粉化することができる。混合構成要素は、シングルルーメンハウジング静的混合要素を有する細長部材と、近位端に雌のルアー取り付け具と、遠位端に雄のルアー取り付け具を具えていてもよい。各構成要素は適切な包装で無菌で提供される。
【００３８】
例示的な実施形態では、カテーテルの遠位端が液状塞栓剤を送達する位置にくるようにＤＭＳＯ適合カテーテルを患者内に配置することによって、動静脈奇形に塞栓形成する、このシステムの使用方法が提供されている。ＤＭＳＯシリンジを包装から取り出し、キャップをシリンジから外して、ＤＭＳＯ適合カテーテルをＤＭＳＯで洗い流してカテーテルから血液、食塩水、又は他の流体を除去することによって、カテーテルの液状塞栓送達準備が整う。懸濁液シリンジを包装から取り出し、場合により手動で撹拌して、ＥＶＯＨ／ＤＭＳＯ溶液内でタンタルを予混合する。混合構成要素及び空のシリンジを包装から取り出し、滅菌技術を用いて滅菌野に入れる。三方活栓の一のアームが、混合構成要素の遠位端に接続されている。キャップを懸濁液シリンジから取り外し、懸濁液シリンジを混合構成要素の近位端に取り付ける。懸濁液シリンジは、混合構成要素の遠位端が上を向くように垂直に保持されて、混合構成要素の空隙容量が予混合したＤＭＳＯ／ＥＶＯＨ／タンタル懸濁液で一杯になるまで懸濁液シリンジプランジャを押し下げる。空のシリンジが、三方活栓の２本目のアームに接続されており、活栓は、懸濁液シリンジと空の又は受入シリンジとの間で流れるように調整する。活栓の３本目のアームは、ＤＭＳＯ対応カテーテルのハブに接続されている。
【００３９】
懸濁液シリンジプランジャを完全に押し下げて、ＤＭＳＯ／ＥＶＯＨ／タンタル懸濁液を、懸濁液シリンジから混合構成要素と活栓を通して受入シリンジまで通過させる。これは第２のシングル混合パスと呼ばれる。第２の混合パスは、受入シリンジのプランジャを完全に押し下げて、ＤＭＳＯ／ＥＶＯＨ／タンタル懸濁液を受入シリンジから、活栓及び混合構成要素を通して懸濁液シリンジに移送することによって行われる。操作医師は、ＤＭＳＯ／ＥＶＯＨ／タンタル懸濁液を完全に均質化するために、選択的に追加の任意の数の混合パスを実行してもよい。奇数回の通過が完了すると、活栓を調整して、受入シリンジ（ＤＭＳＯ／ＥＶＯＨ／タンタル懸濁液を含む）からＤＭＳＯ適合カテーテルのハブへ流れるように調して、シリンジプランジャを押し下げて、完全に均質化されたＤＭＳＯ／ＥＶＯＨ／タンタル懸濁液を患者に送達する。偶数回の通過が完了した場合は、活栓を調整して、懸濁液シリンジ（ＤＭＳＯ／ＥＶＯＨ／タンタル懸濁液を含む）からＤＭＳＯ適合カテーテルのハブに流れるようにして、シリンジプランジャを押し下げて、完全に均質化されたＤＭＳＯ／ＥＶＯＨ ／タンタル懸濁液を患者に送達する。
【００４０】
この処置中の任意の時点で、例えば、処置に長時間かかる場合、及び／又は操作医師がＤＭＳＯ／ＥＶＯＨ／タンタル懸濁液をさらに混合することを望む場合、操作医師は、懸濁液と受入シリンジとの間を流れるように活栓を調整し、残りのＤＭＳＯ／ＥＶＯＨ／タンタル懸濁液を必要に応じて何回も通過させ、次いで活栓を調整して、追加の時間、受入シリンジ又は懸濁液シリンジとＤＭＳＯ適応型カテーテルのハブの間で流れるようにする。この例示的なシステム及び使用方法は、懸濁液シリンジと三方活栓との間に混合構成要素を配置しているが、代替的に、混合構成要素を受入シリンジと三方活栓との間に配置してもよい。
【００４１】
別の実施形態では、システムが２つの混合構成要素を具えており、混合構成要素はそれぞれ、懸濁液シリンジと活栓の間、及び受入シリンジと活栓の間に配置されている。この場合、この２つの混合構成要素は、混合構成要素の細長部材について本明細書の他の箇所で論じられているいずれかの特徴が同一であっても異なっていてもよい。提供されている例では流れの方向を制御する機構として三方活栓を使用しているが、バルブ、二方向活栓、マニホールドなどを含むその他の流れを方向付ける機構が提供されていてもよい。
【００４２】
さらに、本明細書のシステムのいずれも、様々な構成要素を収容し、ＤＭＳＯ／ＥＶＯＨ／タンタル懸濁液の混合と送達の間の移行の制御を容易にするハウジングをさらに具えていてもよい。
【００４３】
この実施例は例示的にＥＶＯＨ／ＤＭＳＯ／タンタル懸濁液又は混合物を使用しているが、本明細書のシステム及び方法は、限定するものではないが、球状又は非球状ポリビニルアルコールビーズ、トリス−アクリルゼラチンミクロスフェアポリマーミクロスフェアなどを含む、その他の塞栓剤に適用可能であることは当業者には自明である。
【００４４】
さらに別の実施形態によれば、純粋なＤＭＳＯを含有するキャップ付きシリンジ、空のシリンジ（「受入」シリンジ）、ＥＶＯＨ、ＤＭＳＯ、及び微粉化タンタルの混合物を含有するシリンジ（「懸濁液」シリンジ）、二方向マニホールド、ハウジング、バネ、及び混合構成要素、を具えるシステムが提供されている。このシステムは、少なくとも１つのルーメンを有する少なくとも１つの延在ラインをさらに具えており、様々な構成要素間の流体連通を可能にする。シリンジ、キャップ、延在ライン、及び二方向マニホールドは、ＤＭＳＯと適合性のある材料で製造することができる。ＤＭＳＯに対するＥＶＯＨの割合は、例えば、７センチストークス未満、又は約７乃至９ｃＳｔ、９乃至１１ｃＳｔ、１１乃至１３ｃＳｔ、１３乃至１５ｃＳｔ、１５乃至１７ｃＳｔ、１７乃至１９ｃＳｔ、１９乃至２１ｃＳｔ、２１乃至２３ｃＳｔ、２３乃至２５ｃＳｔ、２５乃至２７ｃＳｔ、２７乃至２９ｃＳｔ、２９乃至３１ｃＳｔ、３１乃至３３ｃＳｔ、３３乃至３５ｃＳｔ、又は３５ｃＳｔ以上の、様々な粘度の溶液を生成することができる。ＥＶＯＨは可変であり、例えば、エチレン含有量が約４８％（モル％）である。タンタルは、５マイクロメートル以下の範囲の例示的な最大粒径で微粉化することができる。バネとハンドルは、限定するものではないが、脂肪族ポリアミド、フッ素化エチレンプロピレン、ナイロン、ペルフルオロアルコキシ（例えば、Ｔｅｆｌｏｎ（登録商標））、ポリエーテルブロックアミド（Ｐｅｂａｘ（登録商標））、ポリエーテルエーテルケトン（ＰＥＥＫ）、ポリエチレン、ポリテトラフルオロエチレン（ＰＴＦＥ）、ポリプロピレン、ポリウレタン、ポリ塩化ビニル、ポリスルホン、ステンレス鋼、ニッケル、チタン、アルミニウム、真鍮、銅、ポリカーボネート、アクリル、ポリオキシメチレン（Ｄｅｌｒｉｎ（登録商標））、それらの組み合わせ及び／又は合金などを含む、この分野で知られた材料で製造することができる。
【００４５】
ハウジングのサイズ及び形状は、ばね、空のシリンジ又はその他の収容容器、混合構成要素、及び二方向マニホールドの配置を受けて囲むように決めることができる。ハウジングは、内面又は外面に１つ又は複数のフランジ、凹部、スペース、押し出し部分などをさら具え、システムのその他の構成要素の相対的な動きを維持及び／又は可能にすることができる。例えば、ハウジングの近位部分は、ばねを受け入れるのに適切な長さ及び直径を有するキャビティを具えていてもよい。バネの遠位端より遠位側にあるハウジングの一部に空の受入シリンジを掴んで固定する一対のフランジを設けて、シリンジバレルがハウジングに対して動かないようにしてもよい。
【００４６】
ばねは、完全に弛緩したとき、又は歪みがないときの長さであり（すなわち、引っ張り荷重又は圧縮荷重を受けていない）、ばねの近位端はハウジングの近位内側面と接触しており、ばねの遠位端は空のシリンジプランジャの近位面と接触している。シリンジの遠位端、又はシリンジ先端は、直接又は延長線部分を介して混合構成要素の近位端に接続することができる。
【００４７】
混合構成要素の遠位端は、直接又は延長線部分を介して二方向マニホールドのポートに接続することができる。この例では、二方向マニホールドは３つのポートと、所与の時間に２つのポートだけが確実に流体連通する機構とを具える。説明のために、３つのポートは「Ａ」、「Ｂ」、及び「Ｃ」と表示する。マニホールドはさらに、ポートＡとポートＢとの間、あるいはポートＢとポートＣとの間の流れ又は流体連通のみを可能にすることによって流路の配列を制限する。ポートＡとＣの間の流通を提供する流体経路は、このマニホールドの設計ではできない。この設計を達成する１つの例示的な機構は、マニホールドが、０°、２７０°、及び１８０°でそれぞれポートＡ、Ｂ、及びＣを有するハウジングを具えることである。
【００４８】
ハウジングに対して回転する部材がハウジング内に着座している。この部材は、部材の内側で９０°回転するルーメンを具えており、ルーメンの入口点と出口点が互いに固定半径方向の距離だけ離れている。この部材は、入口点と出口点がハウジング上のポートＡ及びＢと整列するようにハウジング内に配置されている。例えば、この部材をハウジング内で反時計回りに９０°回転させて、ポートＢとＣが流体連通するように接続することができる。ポートＡ及びＣは互いに１８０°離れているので、マニホールドのこの実施形態はポートＡとＣとの間に流路を作ることができない。 延長線部分の近位端は、二方向マニホールドのポートＣに接続しており、延長線部分自体は、適切な大きさのポートを通ってハウジングから出て、ハウジングの外側の接続要素で終端している。
【００４９】
例えば、延長線部分の遠位端は、雄型ルアーフィッティングで終端していてもよい。このルアーフィッティングは適切なキャップ（例えば、通気孔のない、雌のルアーキャップ）で閉じられている。第二の延長線部分の近位端は、二方向マニホールドのポートＢに接続することができ、そして延長線部分自体は、適切な大きさの第二ポートを通ってハウジングから出て、接続要素の中で終端している。例えば、延長線部分の遠位端は、懸濁液シリンジの遠位端に接続されている雌型ルアーフィッティング内で終端していてもよい。
【００５０】
二方向マニホールドがポートＡとＢとの間で流れるように配置されている場合、システムは懸濁液シリンジと受入シリンジとの間に流れができる。ユーザ又はオペレータが懸濁液シリンジの内容物を混合したい場合、ユーザは懸濁液シリンジのプランジャを押し下げて、第二延長線部分を通してＥＶＯＨ／ＤＭＳＯ／タンタル混合物を、二方向マニホールドのポートAから出て、本発明の混合構成要素を通って、受入シリンジ中に導く。受入けシリンジが一杯になると、受入シリンジのシリンジプランジャが近位方向に移動し、ばねをハウジングの近位壁に対して圧縮させる。ユーザが懸濁液シリンジのシリンジプランジャに適切な圧力を維持している限り、ばね内の位置エネルギーは蓄積される。
【００５１】
ユーザが懸濁液シリンジのシリンジプランジャから圧力を取り除くと、バネはその潜在的な位置エネルギィを解放し、受入シリンジのシリンジプランジャに圧力を加えて、混合構成要素を通って、二方向マニホールドのポートＡへＥＶＯＨ／ＤＭＳＯ／タンタル混合物を送り出し、二方向マニホールドのポートＢを出て、第２の延長線部分を通って、懸濁液シリンジに戻す。このように、ユーザは、懸濁液シリンジのプランジャを繰り返し押し下げ、解放することによって、混合構成要素を通ってＥＶＯＨ／ＤＭＳＯ／タンタル懸濁液を循環させ、これによって混合することができる。
【００５２】
ＥＶＯＨ／ＤＭＳＯ／タンタル混合物が十分に適切に均質化すると、ユーザは懸濁液シリンジのプランジャを解放し、懸濁液シリンジを均質化したＥＶＯＨ／ＤＭＳＯ／タンタル混合物で満たし、ポートＢとＣが流体連通するように二方向マニホールドを回し、懸濁液シリンジプランジャを押して、ＥＶＯＨ／ＤＭＳＯ／タンタル混合物を懸濁液から出して、第２の延長線部分を通って、二方向マニホールドのポートCから出て、第１の延長線部分へ送達する（第１の延長線部分のオプションのキャップが外されている場合）。これは、最初の延長線部分の遠位端をＤＭＳＯ適合カテーテルのハブに接続する前に行って、システムを準備する（すなわち、システムの流体経路内に空気が確実に存在しないようにする）。
【００５３】
準備が整い接続されると、本発明のシステムのこの実施形態を使用して、塞栓形成処置を受けている患者にＥＶＯＨ／ＤＭＳＯ／タンタル混合物を混合して送達することができる。処置の過程で、操作医師がＤＭＳＯ／ＥＶＯＨ／タンタル懸濁液をさらに混合したい、又は再度混合したい場合（例えば、処置に長時間かかり、懸濁液中にタンタルが沈殿する可能性がある場合）は、操作医師は、ポートＡとＢ間で流れるように二方向マニホールドを調整し、残りのＤＭＳＯ／ＥＶＯＨ／タンタル懸濁液を所望の回数通過させて懸濁液を再度混合し、次いで二方向マニホールドを許容時間まで調整して、ポートＢとＣの間を流れるようにし、ＤＭＳＯ対応カテーテルのハブへのＤＭＳＯ／ＥＶＯＨ／タンタル懸濁液の送達を続ける。
【００５４】
この種のシステムは、準備状態で操作医師に提供することができる（例えば、本発明の流路内に取り込まれた全ての空気は、システムの製造中に除去することができる）。代替的に、懸濁液シリンジ内に含まれると記載されている成分（ＥＶＯＨ、ＤＭＳＯ、及びタンタル）は、様々なシステム構成要素に収容できる。例えば、懸濁液シリンジは、ＤＭＳＯ／ＥＶＯＨ溶液を含み、受入シリンジは微粉化したタンタルを含んでいてもよい。別の例では、懸濁液シリンジと受入シリンジは、製造時に同量の又は異なる量のＤＭＳＯ／ＥＶＯＨ／タンタル懸濁液を含むようにしてもよい。
【００５５】
ハウジングのサイズ、ばねの剛性、長さ、コイル直径、及びコイル厚、シリンジプランジャの長さ、及びその他のシステムパラメータを調整して、塞栓混合物の３つの成分の位置及び／又は体積の違いを補償できることは当業者には自明である。この例では、例示的に、ＥＶＯＨ／ＤＭＳＯ／タンタル懸濁液又は混合物を使用しているが、本明細書のシステム及び方法は、限定するものではないが、球状又は非球状ポリビニルアルコールビーズ、トリス−アクリルゼラチンミクロスフェアなどの、ポリマーミクロスフェアといったその他の塞栓剤に適用可能であることは当業者には自明である。
【００５６】
別の実施形態によれば、塞栓材料を患者の身体内の標的位置に送達するシステムが提供されており、このシステムは、格納位置と移動位置との間で移動可能な第１のピストンを有し、流動性塞栓剤を含む第１のチャンバと；第１のピストンに連結されて、第１のピストンを後退位置から放出位置に向けて、第１のピストンが後退位置から放出位置に移動したときに、第１のチャンバから第１のポートの外へ流動性塞栓材料を送り出す、第１のアクチュエータと；後退位置と第２ポートに隣接する放出位置との間で移動可能な第２ピストンを具える第２のチャンバであって、第２のピストンが放出位置に向かって移動するように付勢されている第２のチャンバと；第１及び第２のポートと連通するダイバータであって、第１のポートと第２のポートとを連通する第１の流路と、第１のポートとダイバータの出口とを連通する第２の流路の一方を開く第２のアクチュエータを具えるダイバータと；塞栓材料が第１のチャンバと第２のチャンバとの間を流れるときに塞栓材料を混合する、第１の流路と連通している混合構成要素と；を具える。
【００５７】
さらに別の実施形態によれば、塞栓材料を含むアセンブリを調製する方法が提供されており、この方法は、流動性塞栓材料がアセンブリの第１のチャンバから出て、混合構成要素を通って第１の流路に沿って通過して、塞栓材料を混合してアッセンブリの第２チャンバへ送るようにアクチュエータを作動させるステップと；アクチュエータを解放して、塞栓材料を、第２のチャンバから混合構成要素を通って第１の流路に沿って自動的に通過させて第１のチャンバに送るステップと；塞栓材料を混合した後、第１のチャンバからアセンブリの出口への第２の流路を開くステップと；アクチュエータを作動させて混合塞栓材料を出口を通るように案内するステップと；を具える。
【００５８】
さらに別の実施形態によれば、塞栓材料を患者の体内の標的位置に送達する方法が提供されており、この方法は、ａ）アクチュエータを作動させて流動性塞栓材料を第１のチャンバから出して、第１の流路に沿って混合構成要素を通過させて、第２のチャンバに入れるステップと；ｂ）アクチュエータを解放して、塞栓材料を第１の流路に沿って第２のチャンバから混合構成要素を自動的に通過させて、塞栓材料をさらに混合して第１のチャンバに送るステップと；ｃ）塞栓材料を混合した後、第１のチャンバから出口への第２の流路を開くステップと；ｄ）アクチュエータを作動させて、混合した塞栓材料を出口を通って患者の体内に案内して、標的位置を塞栓するステップと；を具える。
【００５９】
別の実施形態によれば、塞栓材料を患者の身体内の標的位置に送達するシステムが提供されており、このシステムは、第１のポートに隣接した後退位置と放出位置との間で移動可能な第１のピストンを具える第１のチャンバであって、その中に流動性塞栓材料を含む第１のチャンバと；第２のポートに隣接する後退位置と排出位置との間で移動可能な第２のピストンを具える第２のチャンバと；第１及び第２のポートと連通するダイバータであって、第１のポートと第２のポートとを連通する第１の流路を開く第１の位置と、第１のポートとダイバータの出口との間を連通する第２の流路を開く第２の位置と、第２のポートと出口との間を連通する第３の流路を開く第３の位置と、の間で移動可能なダイバータアクチュエータを具えるダイバータと；第１の流路と連通する混合構成要素と；第１ピストンに接続して、第１の流路を開いているダイバータアクチュエータで第１ピストンを後退位置から排出位置に向けて、塞栓材料を第１チャンバから出して、第１流路に沿って混合構成要素を通って塞栓材料を混合して第２のチャンバに送り、それによって塞栓材料が第２のチャンバに入ったときに第２のピストンを排出位置から後退位置に移動させる、第１のチャンバアクチュエータと；第２のピストンに接続して、第１の流路を開いているダイバータアクチュエータで第２のピストンを後退位置から排出位置に向けて、第１室から第２室に導入した塞栓材料を第２室から排出させ、第１流路に沿って混合構成要素を通過させて塞栓材料をさらに混合して第１のチャンバに送り、これによって塞栓材料が第１のチャンバに入ると第１のピストンを放出位置から後退位置移動させる、第２のチャンバアクチュエータと；を具え、ダイバータアクチュエータが第２の位置と第３の位置の一方へ移動して、第２流路を又は第３の流路を開き、第１室と第２室の一方から混合塞栓材料を送達して出口から送出する。
【００６０】
さらに別の実施形態によれば、塞栓材料を患者の体内の標的位置に送達する方法が提供されており、この方法は、ａ）第一チャンバアクチュエータを作動させて流動性塞栓材料を第一チャンバーから排出させ、第一チャンバに沿って混合構成要素を通過させて塞栓材料を混合して第２のチャンバへ送出するステップと；ｂ）第２のチャンバアクチュエータを作動させて塞栓材料を第２のチャンバから排出させ、第１の流路に沿って混合構成要素を通過させて塞栓材料をさらに混合して第１のチャンバに送出するステップと；ｃ）塞栓材料を混合して第１及び第２のチャンバのうちの一方に送出した後、第１及び第２のチャンバのうちの一方から出口への送達経路を開くステップと；ｄ）チャンバアクチュエータのうちの一方を作動させて、混合した塞栓材料を出口を通って患者の体内に案内し、標的位置を塞栓するステップと；を具える。
【００６１】
本発明の必要性及び使用を含むその他の態様及び特徴は、添付の図面を参照して以下の説明を考察することで明らかになるであろう。
【図面の簡単な説明】
【００６２】
本発明は、添付の図面と併せて、以下の詳細な説明から最もよく理解される。一般的な慣例に従って、図面の様々な特徴は原寸に比例しておらず、逆に、様々な特徴の寸法は、明確にするために任意に拡大又は縮小されている。図面に含まれるものは以下の図である。
【図１】図１Ａは、近位雌型ルアー継手及び遠位雄型ルアー継手を具える混合装置の例示的実施形態を示す平面図である。図１Ｂは、近位及び遠位雌型ルアーフィッティングを具える混合装置の別の例示的実施形態を示す平面図である。
【図２】図２Ａ乃至２Ｃは、塞栓材料を３つの異なる流動状態で送達するシステムの例示的実施形態を示す概略図である。
【図３】図３Ａは、２つの混合構成要素を含む塞栓材料を送達する別の例示的なシステムを示す概略図である。図３Ｂは、ハウジング内にある図３Ａのシステムの平面図である。図３Ｃは、図３Ｂに示すシステムの断面図である。
【図４】図４は、純粋なＤＭＳＯを含有するキャップ付きシリンジ、ＥＶＯＨ、ＤＭＳＯ、及びタンタルの混合物を含むキャップ付きシリンジ、及び混合構成要素を使用する例示的な方法を示すフローチャートである。
【図５】図５は、純粋なＤＭＳＯを含むキャップ付きシリンジ、受入シリンジ、ＥＶＯＨ、ＤＭＳＯ、及びタンタルの混合物を含むキャップ付きシリンジ、及び混合構成要素を具えるシステムを使用する例示的な方法を示すフローチャートである。
【図６】図６は、純粋なＤＭＳＯを含むキャップ付きシリンジ、受入シリンジ、ＥＶＯＨとＤＭＳＯとタンタルの混合物を含むキャップ付きシリンジ、三方活栓、及び混合構成要素を具えるシステムを使用する例示的な方法を示すフローチャートである。
【図７】図７Ａ乃至図７Ｃは、塞栓材料を送達する例示的なシステムの断面図であり、システムの３つ段階の動作を示す。
【発明を実施するための形態】
【００６３】
例示的な実施形態を説明する前に、本発明はここに説明した特定の実施形態に限定されるものではなく、変形できると理解するべきである。本発明の範囲は特許請求の範囲によってのみ限定されるため、本明細書で使用する用語は特定の実施形態を説明することのみを目的としており、限定を意図するものではないことも理解されたい。
【００６４】
ある範囲の値が提供される場合、文脈上明らかに別段の指示がない限り、その範囲の上限と下限の間の下限の単位の１０分の１までの介在値もまた具体的に開示されていると解される。規定範囲内の任意の規定値又は介在値とその規定範囲内の任意の他の規定値又は介在値との間のより小さい各範囲は、本発明の範囲内に包含される。これらのより小さな範囲の上限及び下限は独立してその範囲に含まれるか又は除外されてもよく、いずれかの範囲、いずれでもない範囲、又は両方の範囲がより小さな範囲に含まれる各範囲も、本発明に包含される。記載された範囲が、一方又は両方の限界を含む場合、含まれている限界のいずれか又は両方を除外した範囲も本発明に含まれる。
【００６５】
他に定義されていない限り、本明細書で使用される全ての技術的及び科学的用語は、本発明が属する技術分野の当業者によって一般的に理解されるのと同じ意味を有する。本明細書に記載されているものと類似又は同等の任意の方法及び材料を本発明の実施又は試験に使用することができるが、いくつかの可能性のある好ましい方法及び材料をここに記載する。本明細書で言及されている全ての刊行物は、それらの刊行物が引用されることに関連して方法及び／又は材料を開示及び説明するために参照により本明細書に組み込まれる。本開示は、矛盾がある限りにおいて、組み込まれた刊行物のいかなる開示にも優先することが理解される。
【００６６】
本明細書及び特許請求の範囲で使用されるとき、単数形「ａ」、「ａｎ」、及び「ｔｈｅ」は、文脈が明らかにそうでないことを指示しない限り、複数の指示対象を含むことに留意されたい。したがって、例えば、「化合物」への言及は複数の化合物を含み、「ポリマー」への言及は、当業者に知られている１つ又は複数のポリマー及びその等価物への言及、その他を含む。
【００６７】
本明細書に記載の刊行物は、本出願の出願日より前の開示についてのみ提供されている。本明細書中のいかなるものも、本発明が先行発明のためにそのような刊行物に先行する権利がないことの承認として解釈されるべきではない。さらに、提供されている出版日は実際の出版日とは異なる可能性があり、それは独立して確認する必要があることもある。
【００６８】
図面を参照すると、図１Ａは、混合構成要素１００の例示的実施形態を示しており、この要素は本明細書のシステム及び方法に含まれる。通常、混合構成要素１００は、近位端１０１’と遠位端１０１’’を有する細長部材１０１と、遠位雄型ルアーフィッティング１０２と、近位雌型ルアーフィッティング１０３と、一連のらせん状静的混合要素１０４とを具える。細長部材１０１は、さらに、遠位雄型ルアーフィッティング１０２と近位雌型ルアーフィッティング１０３のルーメンと流体連通しているらせん状の静的混合要素１０４を収容する大きさのルーメンと、内部機構１０５及び１０６を具える。
【００６９】
内部機構１０５及び１０６は、らせん状静的混合要素１０４と干渉して、細長部材１０１に対するらせん状静的混合要素１０４の近位又は遠位方向への移動を防止するようなサイズに設定されている。内部機構１０５及び１０６は、リング又はフランジ状の幾何学的形状及び構造であるか、又は細長部材１０１のルーメンへの、離散的であり細長部材の内径の周りの連続的でない突出部である。選択的に（図示せず）、らせん状静的混合要素１０４の移動を制限する機能は、細長部材１０１の内面に設定された溝及びＯリングの組み合わせ、又は機械的干渉を得るためのその他の同様の機構によって果たすことができる。例えば、らせん状静的混合要素１０４の外径は、らせん状静的混合要素１０４の外径を細長部材１０１のルーメンに圧入するように選択して、らせん状静的混合要素１０４が本発明の混合構成要素を通って流れる混合材料の所定の圧力まで移動しないようにすることができる。
【００７０】
図１Ａに示す例示的な混合構成要素は、少なくとも９個のらせん状静的混合要素のセットを具えているが、より少ない数の静的混合要素を本明細書のシステム及び方法に使用できることは当業者には自明である。さらに、この実施形態の接続要素は、雄及び雌のルアーフィッティングに限定されず、接続要素の任意の組み合わせを使用して、その他の装置、注入ライン、カテーテル、マニホールドなどに、可逆的又は不可逆的に混合構成要素を接続することができる。同様に、図１Ａの例は管状の細長部材に収容したらせん状静的ミキサーを具えているが、その他の幾何学的形状の静的混合要素や、細長部材の対応する幾何学的形状を提供できることは当業者には自明である。例えば、図１Ｂは混合構成要素２００の別の実施形態を示しており、この実施形態は、遠位雄型ルアーフィッティング１０２を遠位雌型ルアーフィッティング１０７で置き換えたこと以外は、混合構成要素１００とほぼ同じである。
【００７１】
図２Ａ乃至２Ｃは、システム３００を使用して、異なるステージ間に３つの異なる流動状態で塞栓材料を送達するシステム３００の例示的な実施形態の概略図を示す。通常、システム３００は液状塞栓懸濁液（図示せず）を含む懸濁液シリンジ又は第１のシリンジ２０１と、初期に空である受入シリンジ又は第２のシリンジ１０２と、混合構成要素２０３と、三方活栓又はその他の分流器２０４と、液状塞栓懸濁液と適合するカテーテル２０５と、を具える。懸濁液シリンジ２０１は、三方活栓２０４に接続された混合構成要素２０３に接続されている。三方活栓２０４の残りの２つのアームは、受入シリンジ２０２とカテーテル２０５にそれぞれ接続されている。図２Ａ乃至図２Ｃは、懸濁液シリンジ２０１と三方活栓２０４との間に配置された混合構成要素２０３を示しているが、代替の構成では、混合構成要素２０３を受入シリンジ２０２と三方活栓２０４との間に配置するようにしてもよい（図示せず）。
【００７２】
図２Ａは、栓２０４が初期位置にあるシステムの流れ状態を示してり、懸濁液シリンジ２０１と受入シリンジ２０２が互いに流体連通しており、カテーテル２０５への流れが阻止されている。システム３００がこの流動状態にあると、液状塞栓懸濁液は、懸濁液シリンジ２０１から混合構成要素２０３と活栓２０４を通って受入シリンジ２０２へ、及びその逆に通過できる。シリンジからシリンジへの液状塞栓懸濁液の通過は、懸濁液を均質化し、及び／又は、そうでなければ、本明細書の他の箇所に記載されているように、懸濁液を患者の体内、例えば体腔又は他の標的位置への送達用に調製する。所望の量の混合が達成されると、２つのシリンジのうちのどちらが均質化された懸濁液を含有するのかによって、図２に示すように栓２０４を送達位置に位置決めし、図２Ｂ又は図２Ｃに示すように、液状塞栓をカテーテル２０５に案内できる。
【００７３】
図２Ｂは、懸濁液シリンジ２０１とカテーテル２０５との間に流れができるように栓２０４を配置した概略図であり、これは液状塞栓懸濁液を懸濁液シリンジ２０１内に入れた、液状塞栓懸濁液の最後の通過（すなわち、図２Ａに示すように、懸濁液シリンジ２０１と受入シリンジ２０２の間）で所望の量の混合が得られる場合に適している。図２Ｃは、受入シリンジ２０２とカテーテル２０５との間で流れができるように栓２０４を配置した概略図であり、液状塞栓懸濁液を受入シリンジ２０２に入れた、液状塞栓懸濁液の最後の通過（すなわち、図２Ａに示すように、懸濁液シリンジ２０１及び受入シリンジ２０２の間）で所望の量の混合が得られる場合に適している。
【００７４】
代替の実施形態では、システム３００は、活栓２０４とカテーテル２０５との間に配置したインラインフィルタ（図示せず）を具えていてもよい。インラインフィルタは、混合液状塞栓懸濁液から同伴空気を排出して、特定のサイズを超える粒子状又はその他の潜在的な汚染物質を選択して、例えば、懸濁液がカテーテル２０５を通過して患者の体内に入る前にふるい落とすことができる。また、当業者には明らかなように、必要に応じて、図２Ａ乃至２Ｃに示す三方活栓２０４以外の、流れを制御するその他の方向転換機構を設けるようにしてもよい。
【００７５】
図３Ａを参照すると、別のシステム４００の概略図が示されており、このシステムは液状塞栓懸濁液（図示せず）を含む懸濁液又は第１のシリンジ３０１、初期に空である受容又は第２のシリンジ３０２と、第１の混合構成要素３０３と、第２の混合構成要素３０４と、三方活栓又はその他のダイバータ３０５と、液状塞栓懸濁液に適合するカテーテル３０６と、を具える。このシステムの動作原理は、図２Ａ乃至２Ｃ２に関して説明したものと同様である。なお、図３Ａでは、混合構成要素３０３、３０４が同一の符号で表されているが、個々の混合構成要素３０３及び３０４は同一である必要はなく、例えば管状ハウジング内に順次配置された複数のらせん状要素及び／又は分流器を含めて、本明細書の他の箇所に記載されている混合要素のいずれかを具えていてもよい。混合要素の直径、長さ、数及びサイズ、混合要素及び細長部材の構造及び幾何学的形状、構成材料などの違いはすべて意図されている。
【００７６】
選択的に、代替の実施形態では、システム４００（図示せず）は、三方活栓３０５とカテーテル３０６との間、及び／又は、各シリンジ３０１、３０２と活栓３０５との間にインラインに配置されたインラインフィルタを具えている。インラインフィルタは、混合液状塞栓懸濁液から同伴空気を排出し、例えば懸濁液がカテーテル３０６を通過して患者の体内に入る前に、特定のサイズを超える粒子状物質又は他の潜在的な汚染物質をふるい落とすように、選択されている。三方活栓３０５以外の、流れを制御するその他の方向転換機構を設けてもよいことは当業者には自明である。
【００７７】
図３Ｂ及び３Ｃを参照すると、ハウジング３０７内に封入され、 活栓３０５に接続された雄型ルアーフィッティング３０９を具えていること以外は、システム４００とほぼ同様の構成要素を有するシステム４００’の例示的実施形態が示されている。ハウジング３０７は、操作外科医の手に人間工学的にフィットするように、及び／又は、懸濁液シリンジ３０１、受入シリンジ３０２、及び三方活栓３０５への直感的なアクセス及び操作を提供するように、形成することができる。これは、三方活栓３０５に連結するノブ３０８などのアクチュエータの使用を介して行われ、印、銘刻文字、ラベル、触覚フィードバック、可聴フィードバック、これらの組み合わせなどを通じて、活栓３０５の状態についての情報をオペレータに提供する。
【００７８】
図４を参照すると、純粋なＤＭＳＯを含むシリンジ、ＤＭＳＯ及びＥＶＯＨの溶液中にタンタルの懸濁液を含む懸濁液シリンジ、及び混合構成要素（図示せず）を具えるシステムを使用して塞栓材料を送達する方法の例示的実施形態を示す。第１のステップ３１０として、操作医師の又はその他のユーザは、標準的な蛍光透視法及び／又は磁気誘導技術を使用して、ＤＭＳＯ適合カテーテルを患者の体内の標的位置、例えば動脈瘤、体腔又はその他のルーメン（図示せず）内の近くに配置することができる。次いで、ステップ３１２において、操作医師は、滅菌技術を使用して提供された包装から純粋なＤＭＳＯを含むシリンジを取り出し、患者の体に配置されたカテーテルを純粋なＤＭＳＯで洗い流す。これは、体腔からカテーテルのルーメンへの血液又は生理食塩水の逆流による、懸濁液シリンジ内でのＥＶＯＨの早期沈殿を防ぐ働きをする。ステップ３１４及び３１６において、懸濁液シリンジ及び混合構成要素をそれらが設けられている包装から取り出す。選択的に、ステップ３１８で、懸濁液シリンジを手動で撹拌して、例えばＥＶＯＨ／ＤＭＳＯ／タンタル懸濁液を粗く予混合するようにしてもよい。次に、ステップ３２０で、懸濁液シリンジからキャップを取り外して、懸濁液シリンジを混合構成要素に接続する。
【００７９】
次いで、ステップ３２２で、懸濁液と混合構成要素のアッセンブリを垂直に保持して、混合構成要素の遠位端を上向きにして、懸濁液が混合構成要素を満たし、全ての空気がアッセンブリから除去されるまで、シリンジプランジャを押し下げる。さらに、あるいは、代替的に、静脈内フィルター（図示せず）などのインラインエアー抜きフィルタの使用を含めて、医療デバイス及び機器から空気をパージするこの技術分野で知られているその他の技術を、上述の技術に代えて又はそれに加えて使用することができる。
【００８０】
次に、ステップ３２４で、混合構成要素の遠位端をカテーテルのハブに接続して、ステップ３２６で、液状塞栓剤を標的位置に送達することができる。懸濁液シリンジとカテーテルのハブの間の混合構成要素の存在により、液状塞栓懸濁液のインライン混合と、均質化が可能になる。この実施例は例として、ＥＶＯＨ／ＤＭＳＯ／タンタル懸濁液又は混合物を使用しているが、限定するものではないが、この方法が球形又は非球形ポリビニルアルコールビーズ、トリス−アクリルゼラチンミクロスフェアなどを含む高分子微小球といった、その他の塞栓剤に適用可能であることは当業者には自明である。
【００８１】
図５を参照すると、純粋なＤＭＳＯを含有するシリンジ、ＤＭＳＯ及びＥＶＯＨの溶液中にタンタルの懸濁液を含有する懸濁液シリンジ、空の受入シリンジ、及び混合構成要素（図示せず）を具える塞栓材料を送達するシステムを使用する別の例示的方法を示すフローチャートが記載されている。第１のステップ３３０として、操作医師は、例えば標準的な蛍光透視法又は磁気誘導技術を使用して、ＤＭＳＯ適合カテーテルを患者の体内の標的位置の近くに配置する。次に、ステップ３３２で、操作医師は、滅菌技術を用いて提供された包装から純粋なＤＭＳＯを含むシリンジを取り出し、カテーテルを純粋なＤＭＳＯで洗い流す。これは、カテーテルのルーメンへの血液又は生理食塩水の逆流による懸濁液シリンジ内のＥＶＯＨの早期沈殿を防止するように作用する。ステップ３３４、３３６において、懸濁液シリンジ及び混合構成要素を、提供されている包装から取りだし、選択的に、ステップ３３８において、懸濁液シリンジを手動で攪拌して、ＥＶＯＨ／ＤＭＳＯ／タンタル懸濁液を粗く予混合してもよい。
【００８２】
次に、ステップ３４０において、懸濁液シリンジからキャップを取り外して、懸濁液シリンジを混合構成要素に接続する。ステップ３４２において、懸濁液シリンジと混合構成要素とのアセンブリを垂直に保持して、混合構成要素の遠位端を上向きにして、懸濁液が混合構成要素を満たし、空気がアッセンブリから除去されるまで、シリンジプランジャを押し下げる。医療デバイス及び機器から空気をパージするこの技術分野で知られているその他の技術を、上述の技術に代えて又はそれに加えて使用することができる。ステップ３４４において、受入シリンジを提供されている包装から取り出して、ステップ３４６で混合構成要素の遠位端に接続する。
【００８３】
次に、ステップ３４８で、懸濁液シリンジのプランジャを押し下げて、液状塞栓懸濁液を混合構成要素を通して受入シリンジへ通過させる。ステップ３５０で液状塞栓懸濁液が適切に混合されていれば、ステップ３５２で受入シリンジを混合構成要素から切り離してカテーテルのハブに接続し、ステップ３５４で液状塞栓剤を標的位置に送達することができる。しかしながら、ステップ３５０で、懸濁液シリンジから受入シリンジへの単一通過後に液状塞栓懸濁液が適切に混合されていない場合は、ステップ３５６において、受入シリンジのプランジャを押し下げて液状塞栓懸濁液を混合構成要素を通って懸濁液シリンジに通過させる。
【００８４】
その後、ステップ３５８で、液状塞栓懸濁液が適切に混合されていれば、ステップ３６０で、懸濁液シリンジを混合構成要素から切り離して、カテーテルのハブに接続して、液状塞栓剤を標的位置に送達することができる。液状塞栓懸濁液が適切に混合されていない場合は、ステップ３６２で、液状塞栓懸濁液を懸濁液シリンジから受入シリンジに戻すことができる。懸濁液シリンジと受入シリンジとの間に液状塞栓懸濁液を通過させるステップ３５６及び３６２を含むループは、必要に応じて又は所望の回数だけ繰り返して、液状塞栓懸濁液を適切に混合することができる。
【００８５】
選択的に、静脈内フィルタ（図示せず）などのインライン通気フィルタをカテーテルのハブの近位に配置して、例えば、そこから混入した空気及び／又はその他の望ましくない粒子を、患者に入る前に懸濁液から除去することができる。加えて又は代替的に（図示せず）、操作医師は、混合した塞栓懸濁液を含むシリンジを混合構成要素とともに取り外し、混合構成要素の自由端をカテーテル又はインラインフィルタのハブに接続することを選択できる。これにより、患者に投与される直前に、液状塞栓懸濁液を最後に静的ミキサーに通過させることができる。この例では、例としてＥＶＯＨ／ＤＭＳＯ／タンタル懸濁液又は混合物を使用しているが、この方法が、限定するものではないが、球状又は非球状ポリビニルアルコールビーズ、トリス−アクリルゼラチンミクロスフェアなどを含むポリマーミクロスフェアなどのその他の塞栓剤に適用可能であることは当業者には自明である。
【００８６】
図６を参照すると、塞栓材料を送達するシステムを使用する方法のさらに別の例示的な実施形態を示すフローチャートが記載されており、このシステムは、純粋なＤＭＳＯを含有するシリンジ、ＤＭＳＯ及びＥＶＯＨの溶液中にタンタルの懸濁液を含有する懸濁液シリンジ、空の受入シリンジ、混合構成要素、及び三方活栓（図示せず）を具える。第１のステップ３６４として、操作医師は、例えば標準的な蛍光透視法又は磁気誘導技術を使用して、ＤＭＳＯ適合カテーテルを患者の体内の標的位置の近くに配置する。次に、ステップ３６６において、操作医師は、滅菌技術を用いて提供されている包装から純粋なＤＭＳＯを含むシリンジを取り出し、カテーテルを純粋なＤＭＳＯで洗い流す。これは、カテーテルのルーメン上への血液又は生理食塩水の逆流による懸濁液シリンジ内のＥＶＯＨの早期沈殿を防止するように作用する。ステップ３６８乃至３７１において、懸濁液シリンジ、混合構成要素、三方活栓、及び受入シリンジを、提供されている包装から取り出す。選択的に、ステップ３７２で、本明細書の他の実施形態と同様に、懸濁液シリンジを手動で撹拌して、例えばＥＶＯＨ／ＤＭＳＯ／タンタル懸濁液を粗く予混合してもよい。
【００８７】
次に、ステップ３７４及び３７６で、キャップを懸濁液シリンジから取り外し、懸濁液シリンジを混合構成要素に接続し、混合構成要素の自由端を三方活栓に接続する。ステップ３７８において、懸濁液シリンジ、混合構成要素及び活栓を垂直に保持して、三方活栓の自由端が上向きになり、懸濁液が混合構成要素と活栓を満たし、すべての空気がアッセンブリから除去されるまで、シリンジプランジャを押し下げる。医療デバイス及び機器から空気をパージするこの技術分野で知られているその他の技術を、上述の技術に代えて又はそれに加えて使用することができる。
【００８８】
次に、ステップ３８０と３８２において、受入シリンジを三方活栓の自由アームの一つに接続し、カテーテルのハブを三方活栓の残りの自由アームに接続する。ステップ３８４で、三方活栓を調整して、懸濁液シリンジと受入シリンジとの間の流れを可能にし、ステップ３８６で、懸濁液シリンジのプランジャを押し下げて、液状塞栓懸濁液を混合構成要素を通して受入シリンジに送る。
【００８９】
ステップ３８８で、液状塞栓懸濁液が適切に混合されていれば、三方活栓を調整して、ステップ３９０で受入シリンジとカテーテルのハブとの間の流れを可能にし、ステップ３９６で、液状塞栓剤を標的位置に送達することができる。しかしながら、ステップ３９１において、懸濁液シリンジから受入シリンジへの１回の通過の後に懸濁液が適切に混合されていない場合は、受入シリンジのプランジャを押し下げて、液状塞栓懸濁液を混合構成要素を通って懸濁液シリンジに通過させる。ステップ３９２において、液状塞栓懸濁液が適切に混合されている場合は、ステップ３９４において、三方活栓を調整して懸濁液シリンジとカテーテルのハブとの間の流れを可能にして、ステップ３９６において液状塞栓剤を標的生体構造に送達でいる。液状塞栓懸濁液が適切に混合されていない場合は、ステップ３９８で、液状塞栓懸濁液を懸濁液シリンジから受入シリンジに戻すことができる。
【００９０】
選択的に、懸濁液シリンジと受入シリンジとの間に液状塞栓懸濁液を通過させるステップ３９１及び３９８を含むループを、必要に応じて又は所望の回数だけ繰り返して、液状塞栓懸濁液を適切に混合することができる。追加で又は代替的に、静脈内フィルタ（図示せず）などのインラインエアー通気フィルタを三方活栓とカテーテルのハブとの間に配置して、懸濁液から混入空気又は他の望ましくない微粒子を患者に入る前に除去することができる。この例では、一例としてＥＶＯＨ／ＤＭＳＯ／タンタル懸濁液又は混合物を使用しているが、限定するものではないが、球状又は非球状 ポリビニルアルコールビーズ、トリス−アクリルゼラチンミクロスフェアなどを含むポリマーミクロスフェアといった、その他の塞栓剤に適用可能であることは当業者には自明である。
【００９１】
図７Ａ乃至７Ｃを参照すると、塞栓材料を調製し、送達するシステム５００の別の例示的な実施形態が示されており、これは、液状塞栓懸濁液（図示せず）を収容する第１のチャンバを画定する懸濁液又は第１のシリンジ４０１と、第２のチャンバを確定する受入又は第２のシリンジ４０２と、ハウジング４０３と、ばね４０４と、混合構成要素４０５と、二方向マニホールド４０６と、第１の延長線部分４０７と、及び第２の延長線部分４０８と、を具える。ハウジング４０３は、１つ又は複数の保持フランジ又は取り付け機構を含み得る。これは、例えば、ばね４０４、受入シリンジ４０２、及びハウジング４０３内に収容された混合構成要素４０５、といった内部構成要素を収容する及び／又はその動き制限する保持フランジ４０９及び４１０など、一又はそれ以上の保持フランジ又は装着機構を具えていてもよい。
【００９２】
一般に、各シリンジ４０１、４０２は、内部チャンバ４０１ａ、４０２ａを画定するバレルと、バレル内にスライド可能に配置され、各プランジャ４１１、４１２に接続されているピストン４０１ｂ、４０２ｂと、チャンバ４０１ａ、４０２ａと流体連通しているポート４０１ｃ、４０２ｃと、を具える。第１のピストン４０１ｂは、第１のチャンバ４０１ａ内で、例えば図７Ａ及び図７Ｃに示す近位位置又は後退位置と、例えば図７Ｂに示す遠位位置又は放出位置の間で移動可能である。同様に、第２のピストン４０２ｂは、第２のチャンバ４０２ａ内で、例えば第２図及び第３図に示す遠位位置又は放出位置と、例えば図７Ａ及び７Ｃに示す近位位置又は後退位置との間で、移動可能である。代替的に、第１のプランジャ４１１とピストン４０１ｂは、（例えば、ガラス製シリンジないのような）単一のユニットであってもよい。同様に、第２のプランジャ４１２とピストン４０２ｂも、やはり（例えば、ガラス製シリンジのように）単一のユニットであってもよい。
【００９３】
バネ４０４は、第２のピストン４０２ｂを図７Ａ及び７Ｃに示す遠位位置に付勢するように構成することができる。例示的な実施形態では、バネ４０４は、第２のプランジャ４１２の近位にハウジング４０３内に装着して、第２のプランジャ４１２（及び第２のピストン４０２ｂ）を遠位側に付勢する圧縮バネであり、さらに、前述のように、システム５００の使用中に第２のプランジャ４１２（及び第２のピストン４０２ｂ）を近位に移動させるように弾性的に圧縮することができる。例えば、ばね４０４は、完全に弛緩した状態又は無負荷の状態でハウジング４０３内に組みつけることができ、代替的に、部分的に圧縮した状態で組みつけて、受入シリンジプランジャ４１２にある程度の予荷重を与えるようにしてもよい。このようなバネの予荷重により、受入シリンジプランジャ４１２が確実に、完全に押し下げられた位置又は遠位位置に戻り、本明細書の他の箇所で説明されているように、実質的にすべての液状塞栓懸濁液が確実に懸濁液シリンジ４０１に自動的に戻るようになる。
【００９４】
フランジ４０９及び４１０は、ハウジング４０３内で内部構成要素の互いに対する相対位置を維持する。例えば、図に示すように、フランジ４０９は、受入シリンジ４０２のフィンガーフランジ又はウィング用のスペースを作る、及び／又は、さもなければ受入シリンジ４０２のバレルと係合して動きを防止するようなサイズであり、そのように配置されている。ハウジング４０３のフランジ４０９の間に受入シリンジ４０２を配置することにより、受入シリンジプランジャ４１２の近位端の近位側にバネ４０４用のスペースが提供される。ばね４０４とプランジャ４１２の近位端は、バネ４０４がこの近位端に係合して、プランジャ４１２（及びピストン４０２ｂ）を遠位方向に向けるような大きさである。図７Ａは、ニュートラル又は低エネルギー状態にあるバネ、例えば、張力も圧縮もないか、あるいは初期の予荷重のみを受けているバネを示す。
【００９５】
受入シリンジ４０２のポート４０２ｃは、直接又は補助延長線部分（図示せず）を介して混合構成要素４０５の近位端４０５ａに接続されている。混合構成要素４０５の遠位端４０５ｂは、直接又は補助延長線部分（図示せず）を介して、二方向マニホールド４０６に接続されている。例えば、二方向マニホールドは３つのポートを具えており、これは、上述したように、例えば、可撓性チューブ４０７を介して懸濁液シリンジ４０１の第１のポート４０１ｃに装着されている、あるいはハウジング４０３の外側に連通している第１のポート又は中間ポート４１４と；混合構成要素４０５ｂの遠位端４０５ｂと連通する第２のポート又は近位ポート４１３と；同様に、例えば、カテーテル又はその他の管状部材又は送達装置（図示せず）と連通するように、例えば、ハウジング４０３の遠位端における出口に取り付けた又はこれと連通する第３のポート又は遠位ポート４１５；といった３つのポートを具えている。
【００９６】
図７Ａは、近位ポート４１３と中間ポート４１４との間の流路、すなわち、第１のチャンバ４０１ａと第２のチャンバ４０２ａとの間の第１の流路を画定する第１の構成における二方向マニホールド４０６を示す。図７Ｃは、中間ポート４１４と遠位ポート４１５との間の流路、すなわち第１のチャンバ４０１ａとハウジング４０３の出口との間の第２の流路を画定する第２の構成の二方向マニホールド４０６を示す。二方向マニホールド４０６は、例えば二位置活栓又は二方向活栓と同様に、第１及び第２の構成の間で二方向マニホールド４０６を回転させるように構成したノブ、ダイヤル、又はその他のアクチュエータ（図示せず）を具えていてもよい。二方向マニホールド４０６の中央ポート４１４は第１の延長線部分４０７に接続されており、第１延長線部分４０７は懸濁液シリンジ４０１に接続されている。二方向マニホールド４０６の遠位ポート４１５は、第２の延長線部分４０８に接続されている。延長線部分４０７及び４０８は両方とも、ハウジング４０３の本体の開口部を通ってハウジング４０３を出るか、又はハウジング４０３の外壁に設けたコネクタ（図示せず）に結合される。
【００９７】
一例では、最初に、図７Ａに示す懸濁液シリンジ４０１は、液状塞栓懸濁液の体積の大部分、すなわち近位位置にある第１のピストン４０１ｂで満たされ、受入シリンジ４０２は実質的に空、すなわち遠位位置にある第２のピストン４０２ｂで満たされる。図７Ｂは、懸濁液シリンジプランジャ４１１が、例えばユーザによって手動で完全に押し下げられ、延長線部分４０７を通って、実質的に全ての液状塞栓懸濁液を第１のポート４０１ｃから、二方向マニホールド４０６、混合構成要素４０５、及び受入シリンジ４０２のチャンバ４０２ａの中へ押し出されているシステム５００の状態を示す。これによって、第２のチャンバ４０２ａが液状塞栓懸濁液で一杯になると、受入シリンジプランジャ４１２及び第２のピストン４０２ｂを近位に移動させて、バネ４０４を圧縮する。
【００９８】
懸濁液シリンジのプランジャ４１１に加えられる力が、スプリング４０４の押圧によって生じるバネ力を超えている限り、スプリング４０４は圧縮されたままである。懸濁液シリンジプランジャ４１１への力が取り除かれると、バネ４０４はその弛緩位置に向かって拡張し、液状塞栓懸濁液をポート４０２ｃ、混合構成要素４０５、二方向マニホールド４０６、延長線部分４０７を介して第２のチャンバ４２０ａから外へ押し戻し、システムが図７Ａについて上述した状態に戻る。懸濁液シリンジ４０１と受入シリンジ４０２との間で混合コンポーネント４０５を通って液状塞栓懸濁液を往復移動させる往復プロセスは、液状塞栓懸濁液を混合し均質化するのに役立つ。
【００９９】
このプロセスは使用者が満足するまで行われ、適切な混合が達成されると、ユーザは混合液状塞栓懸濁液を懸濁液シリンジ４０１に戻し、次いで二方向マニホールド４０６を第２の構成に回して、中間ポート４１４と遠位ポート４１５を図７Ｃに示すように流体連通させる。この状態で、懸濁液シリンジプランジャ４１１を押すと、混合液状塞栓懸濁液が第２の流路に沿って、すなわちポート４０１ｃから出て、延長線部分４０７、二方向マニホールド４０６を通って第２の延長線部分４０８から出るように案内される。これは、第２の延長線部分４０８を、例えば液状塞栓懸濁液に適合するカテーテル（図示せず）に接続する準備中に行って、第２の延長線部分４０８を準備するようにしてもよい。代替的に、第２の延長線部分４０８を省略して、コネクタ又はその他の機構（例えば、雄型回転ルアーロックフィッティング）で置き換えて、カテーテルの近位端に直接接続するようにしてもよい。
【０１００】
例えば、カテーテル（図示せず）の近位端は、例えば第２の延長線部分４０８に接続可能なポート又は直接ハウジング４０３に接続可能なポートと、患者の身体内に導入できるサイズの遠位端と、近位端と遠位端との間に延在するルーメンであって、第２の流路と連通して混状液状塞栓懸濁液を遠位端を超えて送達するルーメンと、を有するハンドル又はハブを具えていてもよい。遠位端は、例えばガイドワイヤ及び／又はアクセスシースを介して患者の脈管構造に経皮的にアクセスして、塞栓されている標的位置へ進めるといった、従来の方法を用いて、患者の身体内に導入することができる。
【０１０１】
次いで、ユーザは、液状塞栓懸濁液の標的位置への送達を進めることができる。液状塞栓懸濁液をさらに混合する必要があることをユーザが感じた場合（例えば、懸濁液が時間のかかる手順の過程で沈降し始めた場合）はいつでも、ユーザは二方向マニホールド４０６を図７Ａ及び７Ｂに示す構成（近位ポート４１３と中間ポート４１４とが流体連通する）に戻して、第１の流路に沿って混合構成要素４０５を通って、懸濁液４０１と受入４０２シリンジとの間を通す工程を繰り返して、液状塞栓懸濁液の追加の混合と均質化を図ることができる。塞栓懸濁液が送達されたら、カテーテルは、従来の方法を用いて、一又はそれ以上の位置に向けて、その他の位置を塞栓する、及び／又は、取り除いてもよい。
【０１０２】
例示的な実施形態の前述の開示は、例示及び説明の目的で提示されている。網羅的であること、又は本発明を開示した正確な形態に限定することを意図するものではない。本明細書に記載された実施形態の多くの変形及び修正は、上記の開示に照らして当業者に明らかであろう。
【０１０３】
さらに、代表的な実施形態を説明する際に、本明細書は、方法及び／又はプロセスを特定の一連のステップとして提示したものである。しかしながら、方法又はプロセスが本明細書に記載のステップの特定の順序に依存していない限り、方法又はプロセスは説明されたステップの特定の順序に限定されるべきではない。当業者が理解するように、他の一連のステップも可能であり得る。したがって、本明細書に記載されているステップの特定の順序は、特許請求の範囲に対する制限として解釈されるべきではない。
【０１０４】
本発明は様々な修正及び代替を受け入れることができ、その特定の例が図面に示されており、本明細書で詳細に説明されている。しかし、本発明は開示された特定の形態又は方法に限定されるべきではなく、反対に、本発明は添付の特許請求の範囲内に含まれるすべての修正、等価物及び代替物を網羅するものである。
【図１Ａ】
2020500659.tif 000003
【図１Ｂ】
2020500659.tif 000004
【図２Ａ】
2020500659.tif 000005
【図２Ｂ】
2020500659.tif 000006
【図２Ｃ】
2020500659.tif 000007
【図３Ａ】
2020500659.tif 000008
【図３Ｂ】
2020500659.tif 000009
【図３Ｃ】
2020500659.tif 000010
【図４】
2020500659.tif 000011
【図５】
2020500659.tif 000012
【図６】
2020500659.tif 000013
【図７Ａ】
2020500659.tif 000014
【図７Ｂ】
2020500659.tif 000015
【図７Ｃ】
2020500659.tif 000016
【国際調査報告】
2020500659.tif 000017
2020500659.tif 000018
2020500659.tif 000019
2020500659.tif 000020
2020500659.tif 000021